(57)【要約】  無線通信システムにおける装置及び方法、並びにコンピュータ可読記憶媒体が開示され、当該装置は処理回路を含み、当該処理回路は、少なくとも無線通信サービスタイプ及び／又はセル負荷状況に基づいて、無許可周波数帯域に対するチャンネル検出モードを確定し、チャンネル検出モードが含まれる配置情報を生成し、ユーザー装置にチャンネル検出モードを指示するために当該配置情報がユーザー装置に送信されるように配置される。本開示の実施例の少なくとも１つの態様によれば、５Ｇ  ＮＲにおける広帯域幅の無許可周波数帯域に対して、少なくとも無線通信サービスタイプ及び／又はセル負荷状況に基づいて、現在の適用シナリオに適したチャンネル検出モードを配置することによって、帯域幅の割当効率とリソース利用率を改善しながら、基地局とユーザー装置の作業負荷を軽減し、システム作業効率を向上することができる。
2021503830.tif 000002
【特許請求の範囲】
【請求項１】
処理回路を含む、無線通信システムにおける装置であって、
前記処理回路は、
少なくとも無線通信サービスタイプ及び／又はセル負荷状況に基づいて、無許可周波数帯域に対するチャンネル検出モードを確定し、
前記チャンネル検出モードを含む配置情報を生成し、前記配置情報が、ユーザー装置に前記チャンネル検出モードを指示するために前記ユーザー装置に送信される、
ように配置される装置。
【請求項２】
前記チャンネル検出モードは、コンポーネントキャリアに基づくチャンネル検出と帯域幅ブロックに基づくチャンネル検出を含み、帯域幅ブロックは、コンポーネントキャリア内で分割され、前記コンポーネントキャリアの帯域幅よりも小さい帯域幅を有するブロックである、請求項１に記載の装置。
【請求項３】
前記処理回路はさらに、前記無線通信サービスタイプが大きな帯域幅及び／又は小さなセル負荷を必要とする場合に、前記チャンネル検出モードがコンポーネントキャリアに基づくチャンネル検出であると確定し、前記無線通信サービスタイプが小さな帯域幅及び／又は大きなセル負荷を必要とする場合に、前記チャンネル検出モードが帯域幅ブロックに基づくチャンネル検出であると確定する、
ように配置される請求項２に記載の装置。
【請求項４】
前記チャンネル検出モードはさらに、コンポーネントキャリアに基づくチャンネル検出と帯域幅ブロックに基づくチャンネル検出との両方を組み合わせたハイブリッドチャンネル検出を含む、請求項２に記載の装置。
【請求項５】
前記処理回路はさらに、
前記チャンネル検出モードが帯域幅ブロックに基づくチャンネル検出である場合に、１つ以上のダウンリンク初期帯域幅ブロックでチャンネル検出を実行し、
チャンネル検出結果に基づいて、前記１つ以上のダウンリンク初期帯域幅ブロックから、チャンネル検出結果がアイドルであり、かつ、高優先度及び／又はＬＢＴタイプがシンプルタイプであるダウンリンク初期帯域幅ブロックを、ダウンリンク伝送に使用される帯域幅ブロックとして選択し、
選択されたダウンリンク初期帯域幅ブロックを含む配置情報を生成して、前記ユーザー装置に送信する、
ように配置される請求項２に記載の装置。
【請求項６】
前記処理回路はさらに、
前記ユーザー装置に送信するために、選択されたダウンリンク初期帯域幅ブロックを含む配置情報をダウンリンク制御情報に含める、
ように配置される請求項５に記載の装置。
【請求項７】
前記処理回路はさらに、
前記ユーザー装置に送信するために、前記１つ以上のダウンリンク初期帯域幅ブロックを含む初期帯域幅ブロック配置情報を生成する、
ように配置される請求項５に記載の装置。  
【請求項８】
前記初期帯域幅ブロック配置情報はさらに、前記１つ以上のダウンリンク初期帯域幅ブロックとペアリングする１つ以上のアップリンク帯域幅ブロックを含む、請求項７に記載の装置。
【請求項９】
前記処理回路はさらに、
前記チャンネル検出モードが帯域幅ブロックに基づくチャンネル検出である場合に、前記ユーザー装置からのアップリンクスケジューリング要求に応答して、１つ以上のアップリンク初期帯域幅ブロックを含む初期帯域幅ブロック配置情報を生成して、前記ユーザー装置に送信し、
前記１つ以上のアップリンク初期帯域幅ブロックに対応する１つ以上のアップリンクスケジューリング情報を生成し、
前記１つ以上のアップリンク初期帯域幅ブロックとペアリングする１つ以上のダウンリンク帯域幅ブロックでチャンネル検出をそれぞれ実行して、チャンネル検出結果がアイドルである１つ以上のダウンリンク帯域幅ブロックによって、生成された１つ以上のアップリンクスケジューリング情報を前記ユーザー装置に送信する、
ように配置される請求項２に記載の装置。
【請求項１０】
前記初期帯域幅ブロック配置情報はさらに、前記１つ以上のアップリンク初期帯域幅ブロックとペアリングする１つ以上のダウンリンク帯域幅ブロックを含む、請求項９に記載の装置。
【請求項１１】
前記処理回路はさらに、
ダウンリンクデフォルト帯域幅ブロック、又は前記１つ以上のダウンリンク帯域幅ブロックのうちアップリンク伝送のために前記ユーザー装置によって使用されるアップリンク初期帯域幅ブロックとペアリングするダウンリンク帯域幅ブロックでチャンネル検出を実行し、チャンネル検出結果がアイドルである場合に、ダウンリンクデフォルト帯域幅ブロック、又はアップリンク伝送のために前記ユーザー装置によって使用されるアップリンク初期帯域幅ブロックとペアリングするダウンリンク帯域幅ブロックでアップリンク受信フィードバックを実行する、
ように配置される請求項１０に記載の装置。
【請求項１２】
前記処理回路はさらに、
前記ユーザー装置に送信するために、前記初期帯域幅ブロック配置情報を高位レイヤシグナリングに含める、
ように配置される請求項７又は９に記載の装置。
【請求項１３】
前記処理回路はさらに、
前記ユーザー装置に送信するために、前記アップリンクスケジューリング情報をダウンリンク制御情報に含める、
ように配置される請求項９に記載の装置。
【請求項１４】
前記処理回路はさらに、
既存のダウンリンク制御情報フォーマットの修正、新しいダウンリンク制御情報フォーマットの追加、又は新しい別個のダウンリンク制御情報の追加によって、前記ダウンリンク制御情報を生成する、
ように配置される請求項６又は１３に記載の装置。
【請求項１５】
前記処理回路はさらに、
基地局側のＬＢＴタイマが切れた場合に、ダウンリンクデフォルト帯域幅ブロックでチャンネル検出を実行し、チャンネル検出結果がアイドルである場合に現在のダウンリンク帯域幅ブロックからダウンリンクデフォルト帯域幅ブロックに切り替えるか、又は、１つ以上のダウンリンク候補帯域幅ブロックでチャンネル検出を実行し、現在のダウンリンク帯域幅ブロックから前記１つ以上のダウンリンク候補帯域幅ブロックのうちチャンネル検出結果がアイドルでありかつ高優先度及び／又はＬＢＴタイプがシンプルタイプであるダウンリンク候補帯域幅ブロックに切り替える、
ように配置される請求項２に記載の装置。
【請求項１６】
前記処理回路はさらに、
基地局側のアップリンクデータ受信タイマが切れた場合に、１つ以上のアップリンク候補帯域幅ブロックを含む配置情報を生成して、前記ユーザー装置に送信し、
前記１つ以上のアップリンク候補帯域幅ブロックに対応する１つ以上のアップリンクスケジューリング情報を生成し、
前記１つ以上のアップリンク候補帯域幅ブロックに対応する１つ以上のダウンリンク帯域幅ブロックでチャンネル検出をそれぞれ実行して、チャンネル検出結果がアイドルである１つ以上のダウンリンク帯域幅ブロックによって、生成された１つ以上のアップリンクスケジューリング情報を前記ユーザー装置に送信する、
ように配置される請求項２に記載の装置。
【請求項１７】
前記処理回路はさらに、
基地局又は前記ユーザー装置が異なる帯域幅ブロックの間を切り替えるときに、切り替え前後の帯域幅ブロックの周波数領域範囲の間の関係に基づいて、前記基地局又は前記ユーザー装置によって切り替えられた帯域幅ブロックにおけるＬＢＴタイプを確定する、
ように配置される請求項２に記載の装置。
【請求項１８】
前記処理回路はさらに、
切り替え前の帯域幅ブロックと切り替え後の帯域幅ブロックとの周波数領域範囲のオーバーラップの程度が所定の閾値以上である場合、又は、切り替え前の帯域幅ブロックに切り替え後の帯域幅ブロックが含まれる場合、切り替え後の帯域幅ブロックにおけるＬＢＴタイプがシンプルタイプであると確定し、前記オーバーラップの程度が所定の閾値よりも小さい場合、切り替え後の帯域幅ブロックにおけるＬＢＴタイプが複雑タイプであると確定する、
ように配置される請求項１７に記載の装置。
【請求項１９】
前記処理回路はさらに、
前記ユーザー装置に送信するために、ＬＢＴタイプに関する配置情報を高位レイヤシグナリング又はダウンリンク制御情報に含める、
ように配置される請求項１７に記載の装置。
【請求項２０】
前記無許可周波数帯域には６０ＧＨｚ周波数帯域が含まれる、請求項１に記載の装置。
【請求項２１】
前記装置は基地局として動作し、かつ、通信操作を実行するように配置される通信ユニットをさらに含む、請求項１に記載の装置。
【請求項２２】
処理回路を含む、無線通信システムにおける装置であって、
前記処理回路は、
基地局からの、チャンネル検出モードを含む配置情報に従って、無許可周波数帯域に対するチャンネル検出モードを確定し、
確定されたチャンネル検出モードに基づいて、前記無許可周波数帯域でチャンネル検出を実行する、
ように配置され、
前記チャンネル検出モードは、少なくとも無線通信サービスタイプ及び／又はセル負荷状況に基づいて前記基地局によって確定される装置。
【請求項２３】
前記チャンネル検出モードは、コンポーネントキャリアに基づくチャンネル検出と、帯域幅ブロックに基づくチャンネル検出を含み、帯域幅ブロックは、コンポーネントキャリア内で分割され、前記コンポーネントキャリアの帯域幅よりも小さい帯域幅を有するブロックである請求項２２に記載の装置。
【請求項２４】
前記処理回路はさらに、
前記基地局からの、１つ以上のダウンリンク初期帯域幅ブロックを含む初期帯域幅配置情報に従って、前記１つ以上のダウンリンク初期帯域幅ブロックで前記基地局からのダウンリンク制御情報を受信するようにユーザー装置を制御する、
ように配置される請求項２３に記載の装置。
【請求項２５】
前記処理回路はさらに、
受信されたダウンリンク制御情報に従って、ダウンリンク伝送のために前記基地局によって選択されるダウンリンク初期帯域幅ブロックを確定し、当該ダウンリンク初期帯域幅ブロックで前記基地局からのダウンリンクデータを受信するように前記ユーザー装置を制御する、
ように配置される請求項２４に記載の装置。
【請求項２６】
前記処理回路はさらに、
アップリンクデフォルト帯域幅ブロックでチャンネル検出を実行して、チャンネル検出結果がアイドルである場合に、アップリンクデフォルト帯域幅ブロックによって、ダウンリンク受信フィードバック及び／又は前記基地局へのアップリンクスケジューリング要求を実行する、
ように配置される請求項２５に記載の装置。
【請求項２７】
前記初期帯域幅ブロック配置情報はさらに、前記１つ以上のダウンリンク初期帯域幅ブロックとペアリングする１つ以上のアップリンク帯域幅ブロックを含む、請求項２５に記載の装置。
【請求項２８】
前記処理回路はさらに、
前記１つ以上のアップリンク帯域幅ブロックのうちダウンリンク伝送のために前記基地局によって選択されるダウンリンク初期帯域幅ブロックとペアリングするアップリンク帯域幅ブロックでチャンネル検出を実行して、チャンネル検出結果がアイドルである場合に、当該アップリンク帯域幅ブロックによって、ダウンリンク受信フィードバック及び／又は前記基地局へのアップリンクスケジューリング要求を実行する、
ように配置される請求項２７に記載の装置。
【請求項２９】
前記処理回路はさらに、
アップリンクスケジューリング要求に応答して前記基地局によって送信される、１つ以上のアップリンク初期帯域幅ブロックを含む初期帯域幅ブロック配置情報に従って、前記基地局からの１つ以上のアップリンクスケジューリング情報を受信するようにユーザー装置を制御し、
受信された１つ以上のアップリンクスケジューリング情報に従って、同時又は時分割で、各アップリンクスケジューリング情報に対応するアップリンク初期帯域幅ブロックでチャンネル検出を実行し、
チャンネル検出結果とそれに対応するアップリンクスケジューリングメッセージに従って、チャンネル検出結果がアイドルでありかつ高優先度及び／又はＬＢＴタイプがシンプルタイプであるアップリンク初期帯域幅ブロックで前記基地局にアップリンク伝送を実行するように前記ユーザー装置を制御する、
ように配置される請求項２３に記載の装置。
【請求項３０】
前記初期帯域幅ブロック配置情報はさらに、前記１つ以上のアップリンク初期帯域幅ブロックとペアリングする１つ以上のダウンリンク帯域幅ブロックを含み、前記処理回路はさらに、前記１つ以上のダウンリンク帯域幅ブロックで前記基地局からの１つ以上のアップリンクスケジューリング情報を受信するように前記ユーザー装置を制御する、
ように配置される請求項２９に記載の装置。
【請求項３１】
前記処理回路はさらに、
ユーザー装置側のＬＢＴタイマが切れた場合に、アップリンクデフォルト帯域幅ブロックでチャンネル検出を実行して、チャンネル検出結果がアイドルである場合に、現在のアップリンク帯域幅ブロックからアップリンクデフォルト帯域幅ブロックに切り替えるようにユーザー装置を制御する、
ように配置される請求項２３に記載の装置。
【請求項３２】
前記処理回路はさらに、
アップリンクデータ受信タイマが切れた場合に前記基地局によって送信される１つ以上のアップリンク候補帯域幅ブロックを含む配置情報に従って、前記基地局からの１つ以上のアップリンクスケジューリング情報を受信するようにユーザー装置を制御し、
受信された１つ以上のアップリンクスケジューリング情報に従って、同時又は時分割で各アップリンクスケジューリング情報に対応するアップリンク候補帯域幅ブロックでチャンネル検出を実行し、
チャンネル検出結果とそれに対応するアップリンクスケジューリング情報に従って、チャンネル検出結果がアイドルでありかつ高優先度及び／又はＬＢＴタイプがシンプルタイプであるアップリンク候補帯域幅ブロックに切り替えるように前記ユーザー装置を制御する、
ように配置される請求項２３に記載の装置。
【請求項３３】
前記処理回路はさらに、前記基地局からのＬＢＴタイプに関する配置情報に従って、対応するアップリンク帯域幅ブロックでチャンネル検出を実行するように配置される請求項２３に記載の装置。
【請求項３４】
前記装置はユーザー装置として動作し、かつ、通信操作を実行するように配置される通信ユニットをさらに含む、請求項２３〜３３のいずれか１項に記載の装置。
【請求項３５】
無線通信システムにおける方法であって、
少なくとも無線通信サービスタイプ及び／又はセル負荷状況に基づいて、無許可周波数帯域に対するチャンネル検出モードを確定することと、
前記チャンネル検出モードを含む配置情報を生成することと、
を含み、
前記配置情報は、ユーザー装置に前記チャンネル検出モードを指示するように、前記ユーザー装置に送信される方法。
【請求項３６】
無線通信システムにおける方法であって、
基地局からのチャンネル検出モードを含む配置情報に従って、無許可周波数帯域に対するチャンネル検出モードを確定することと、
確定されたチャンネル検出モードに基づいて、前記無許可周波数帯域でチャンネル検出を実行することと、
を含み、
前記チャンネル検出モードは、少なくとも無線通信サービスタイプ及び／又はセル負荷状況に基づいて前記基地局によって確定される方法。
【請求項３７】
コンピュータによって実行されるときに請求項３５又は３６に記載の方法を前記コンピュータに実行させる実行可能な指令が記憶されるコンピュータ可読記憶媒体。
【発明の詳細な説明】
【技術分野】
【０００１】
本出願は、２０１７年１１月１７日に中国特許庁に提出された、出願番号が２０１７１１１４７２２６．４であって、発明の名称が「無線通信システムにおける装置及び方法、並びにコンピュータ可読記憶媒体」である中国特許出願の優先権を主張するものであり、その全内容を本出願に参照により採用する。
【０００２】
本開示は一般に、無線通信技術の分野に関し、より具体的に、第５世代移動通信（５Ｇ）の新しい無線アクセス技術（Ｎｅｗ  Ｒａｄｉｏ、ＮＲ）における無許可周波数帯域でのチャンネル検出及び関連する配置を実現及び最適化するための無線通信システムにおける装置及び方法、並びにコンピュータ可読記憶媒体に関する。
【背景技術】
【０００３】
現在検討している５Ｇ  ＮＲ規格に基づいて、許可周波数帯域における広い帯域幅に関する内容は、物理層の観点から、ＮＲキャリアの最広帯域幅が４００ＭＨｚとして配置されることができる。ＬＴＥシステムの最大２０ＭＨｚ帯域幅を有するサブキャリアと比べると、全体的な改善は２０倍にもなる。そのため、ＮＲにおける広帯域幅の無許可周波数帯域に対して、ある帯域幅でのチャンネルがアイドルであるかどうかを検出する基地局又はユーザー装置の作業負荷と複雑さを低減し、そのような広帯域幅でのリソーススケジューリングの柔軟性とリソース利用効率を向上させるために、従来のＬＴＥシステムにおける無許可周波数帯域でのチャンネル検出プロセスと配置を改善する必要がある。
【発明の概要】
【発明が解決しようとする課題】
【０００４】
本開示に関するいくつかの態様の基本的な理解を提供するように、本発明に関する簡単な概説を以下に示す。しかしながら、この概説が本開示に関する網羅的な概説ではないと理解すべきである。それは、本開示の肝心又は重要部分を確定することを意図するものではなく、本開示の範囲を限定することを意図するものでもない。その目的は、後述するより詳細な説明の前置きとして、本開示に関するいくつかの概念を簡略化された形で提示することである。
【０００５】
上記の問題に鑑みて、本開示の少なくとも１つの態様の目的は、５Ｇ  ＮＲにおける無許可周波数帯域でのチャンネル検出及び関連する配置を実現及び最適化することができることによって、帯域幅の割当効率とリソース利用率を改善しながら、基地局とユーザー装置の作業負荷を軽減し、システム作業効率を向上することができる無線通信システムにおける装置及び方法、並びにコンピュータ可読記憶媒体を提供することである。
【課題を解決するための手段】
【０００６】
本開示の一態様によれば、無線通信システムにおける装置を提供し、当該装置は、処理回路を含み、当該処理回路は、少なくとも無線通信サービスタイプ及び／又はセル負荷状況に基づいて、無許可周波数帯域に対するチャンネル検出モードを確定し、チャンネル検出モードを含む配置情報を生成するように配置され、当該配置情報は、ユーザー装置にチャンネル検出モードを指示するためにユーザー装置に送信される。
【０００７】
本開示の他の態様によれば、無線通信システムにおける装置をさらに提供し、当該装置は、処理回路を含み、当該処理回路は、基地局からのチャンネル検出モードを含む配置情報に従って、無許可周波数帯域に対するチャンネル検出モードを確定し、確定されたチャンネル検出モードに基づいて無許可周波数帯域でチャンネル検出を実行するように配置され、当該チャンネル検出モードは、少なくとも無線通信サービスタイプ及び／又はセル負荷状況に基づいて基地局によって確定される。
【０００８】
本開示の他の態様によれば、無線通信システムにおける方法をさらに提供し、当該方法は、少なくとも無線通信サービスタイプ及び／又はセル負荷状況に基づいて、無許可周波数帯域に対するチャンネル検出モードを確定することと、チャンネル検出モードを含む配置情報を生成することとを含み、当該配置情報は、ユーザー装置にチャンネル検出モードを指示するためにユーザー装置に送信される。
【０００９】
本開示の他の態様によれば、無線通信システムにおける方法をさらに提供し、当該方法は、基地局からのチャンネル検出モードを含む配置情報に従って、無許可周波数帯域に対するチャンネル検出モードを確定することと、確定されたチャンネル検出モードに基づいて、無許可周波数帯域でチャンネル検出を実行することとを含み、当該チャンネル検出モードは、少なくとも無線通信サービスタイプ及び／又はセル負荷状況に基づいて基地局によって確定される。
【００１０】
本開示の他の態様によれば、コンピュータによって実行されるときに上記の無線通信システムにおける方法をコンピュータに実行させる実行可能な指令が記憶されるコンピュータ可読記憶媒体をさらに提供する。
【００１１】
本開示の別の態様によれば、本開示による上記方法を実現するためのコンピュータプログラムコード及びコンピュータプログラム製品をさらに提供する。
【００１２】
本開示の実施例の少なくとも１つの態様によれば、５Ｇ  ＮＲにおける広帯域幅の無許可周波数帯域に対して、少なくとも無線通信サービスタイプ及び／又はセル負荷状況に基づいて、現在の適用シナリオに適したチャンネル検出モードを配置することによって、帯域幅の割当効率とリソース利用率を改善しながら、基地局とユーザー装置の作業負荷を軽減し、システム作業効率を向上することができる。
【００１３】
本開示の実施例の他の態様は、以下の明細書で与えられ、本開示の実施例を完全に開示するための好ましい実施形態について、それに制限を加えることなく詳細に説明する。
【図面の簡単な説明】
【００１４】
本発明は、添付の図面と併せて与えられる以下の説明を参照することによって、よりよく理解されることができ、同じ又は類似の構成要素について、図面全体にわたって同じ又は類似の参照符号が使用されている。前記図面は以下の詳細な説明と共に、本明細書に含まれて、本明細書の一部を形成し、また、本発明の好ましい実施例をさらに例示し、本発明の原理及び利点を説明するために使用される。図面では、
【００１５】
【図１】図１は、本開示の実施例による無線通信システムにおける基地局側の装置の機能配置例を示すブロック図である。
【図２】図２は、本開示の実施例による無線通信システムにおける基地局側の装置の別の機能配置例を示すブロック図である。
【図３】図３は、本開示の実施例によるダウンリンク初期帯域幅ブロック（Ｂａｎｄｗｉｄｔｈ  Ｐａｒｔ、ＢＷＰ）の配置例を示す概略図である。
【図４】図４は、本開示の実施例による無線通信システムにおける基地局側の装置のさらに別の機能配置例を示すブロック図である。
【図５】図５は、本開示の実施例によるアップリンク初期ＢＷＰの配置例を示す概略図である。
【図６】図６は、本開示の実施例によるライセンス支援アクセス（ＬＡＡ）セルフキャリアスケジューリングのシナリオにおけるシグナリングインタラクティブプロセスを示すフローチャートである。
【図７】図７は、本開示の実施例による周波数分割複信（ＦＤＤ）システムにおけるＢＷＰスケジューリングのシグナリングインタラクティブプロセスを示すフローチャートである。
【図８】図８は、本開示の実施例によるＴＤＤシステムにおけるＢＷＰスケジューリングのシグナリングインタラクティブプロセスを示すフローチャートである。
【図９】図９は、本開示の実施例による無線通信システムにおける基地局側の装置のさらに別の機能配置例を示すブロック図である。
【図１０】図１０は、本開示の実施例によるＢＷＰ切り替えの一例を示す概略図である。
【図１１】図１１は、本開示の実施例による無線通信システムにおける基地局側の装置のさらに別の機能配置例を示すブロック図である。
【図１２Ａ】図１２Ａは、本開示の実施例によるＢＷＰにおけるＬＢＴタイプの配置例を示す概略図である。
【図１２Ｂ】図１２Ｂは、本開示の実施例によるＢＷＰにおけるＬＢＴタイプの配置例を示す概略図である。
【図１３】図１３は、本開示の実施例による無線通信システムにおけるユーザー装置側の装置の機能配置例を示すブロック図である。
【図１４】図１４は、本開示の実施例による無線通信システムにおけるユーザー装置側の装置の別の機能配置例を示すブロック図である。
【図１５】図１５は、本開示の実施例による無線通信システムにおけるユーザー装置側の装置のさらに別の機能配置例を示すブロック図である。
【図１６】図１６は、本開示の実施例による無線通信システムにおけるユーザー装置側の装置のさらに別の機能配置例を示すブロック図である。
【図１７】図１７は、本開示の実施例による無線通信システムにおける基地局側の方法のプロセス例を示すフローチャートである。
【図１８】図１８は、本開示の実施例による無線通信システムにおけるユーザー装置側の方法のプロセス例を示すフローチャートである。
【図１９】図１９は、本開示の実施例において採用可能な情報処理装置であるパーソナルコンピュータの構成例を示すブロック図である。
【図２０】図２０は、本開示の技術を適用できる進化型ノード(ｅＮＢ)の概略構成の第１の例を示すブロック図である。
【図２１】図２１は、本開示の技術を適用できるｅＮＢの概略構成の第２の例を示すブロック図である。
【図２２】図２２は、本開示の技術を適用できるスマートフォンの概略構成例を示すブロック図である。
【図２３】図２３は、本開示の技術を適用できるカーナビゲーション装置の概略構成例を示すブロック図である。
【発明を実施するための形態】
【００１６】
以下、本開示の例示的な実施例について添付の図面を参照して説明する。明確化と簡潔さのために、実際の実施形態の全ての特徴が明細書に記述されているわけではない。しかしながら、こういう実際の実施例の開発において、例えば、システムやサービスに関連する制約条件を満たすなどの開発者の具体的な目標を達成するために多くの実施形態特有の決定が行われなければならなく、これらの制約条件は実施形態に応じて変更される可能性があることと理解すべきである。加えて、開発作業は非常に複雑で時間がかかる可能性があるが、そのような開発作業は本開示から利益を得た当業者にとって日常的なタスクのみであることも理解されるべきである。
【００１７】
ここで、不必要な詳細によって本開示を不明瞭にすることを避けるために、本開示による方案に密接に関連する装置構造及び／又は処理ステップのみが図面に示され、本開示とはほとんど関係のない他の詳細は省略されることにも注意されたい。
【００１８】
以下、図１から図２３を参照して本開示の好ましい実施例について詳細に説明する。以下、以下の順序で説明する。
１．本開示による基地局側の装置の配置例
１-１．チャンネル検出モードの配置
１-２．初期ＢＷＰの配置
１-２-１．ダウンリンク通信シナリオでの例
１-２-２．アップリンク通信シナリオでの例
１-３．ＢＷＰの配置とスケジューリング
１-４．ＢＷＰ切り替えの配置
１-５．ＢＷＰにおけるＬＢＴタイプの配置
２．本開示によるユーザー装置側の装置の配置例
２-１．ダウンリンク通信シナリオでの例
２-２．アップリンク通信シナリオでの例
２-３．ＢＷＰ切り替えシナリオでの例
３．本開示による方法実施例
４．本開示の装置及び方法の実施例を実施するための計算装置
５．本開示の技術の適用例
５-１．基地局についての適用例
５-２．ユーザー装置についての適用例
【００１９】
本開示による実施例を具体的に説明する前に、以下の説明では、ＮＲにおける６０ＧＨｚ周波数帯域を無許可周波数帯域の一例として使用して本開示の技術を説明することに留意されたい。しかし、本開示はこれに限定されず、他の無許可周波数帯域でのチャンネル検出及び配置に同様に適用できることを理解されたい。
【００２０】
＜１．本開示による基地局側の装置の配置例＞
［１-１．チャンネル検出モードの配置］
図１は、本開示の実施例による無線通信システムにおける基地局側の装置の機能配置例を示すブロック図である。
【００２１】
図１に示すように、この例による装置１００は、チャンネル検出モード配置ユニット１０２と配置情報生成ユニット１０４を含むことができる。以下、各ユニットの機能配置例について詳細に説明する。
【００２２】
チャンネル検出モード配置ユニット１０２は、少なくとも無線通信サービスタイプ及び／又はセル負荷状況に基づいて、無許可周波数帯域に対するチャンネル検出モードを確定するように配置されることができる。
【００２３】
ＮＲは前述のように現在１００Ｍレベルのキャリア帯域幅をサポートしているが、いくつの適用シナリオでは、単一のユーザーにとって、このような大きな帯域幅が必要しなくなる。効率的な帯域幅割り当ての原則に基づいて、「帯域幅ブロック（Ｂａｎｄｗｉｄｔｈ  Ｐａｒｔ、ＢＷＰ）」の概念が導入されることができる。帯域幅ブロックはキャリア／コンポーネントキャリア（Ｃｏｍｐｏｎｅｎｔ  Ｃａｒｒｉｅｒ、ＣＣ）よりもリソース割り当ての粒度が小さいため、スペクトルリソースのスケジューリングの柔軟性が向上し、帯域幅の割当効率とリソース利用率が最適化される。従来のＬＴＥシステムにおける無許可周波数帯域でチャンネル検出を行う配置は、ダウンリンク制御情報（Ｄｏｗｎｌｉｎｋ  Ｃｏｎｔｒｏｌ  Ｉｎｆｏｒｍａｔｉｏｎ、ＤＣＩ）におけるフィールド「キャリア指示（ｃａｒｒｉｅｒ  ｉｎｄｉｃａｔｏｒ）」をスケジューリングすることで通知され、サブキャリアの番号及び位置によってチャンネル検出の位置が確定される。即ち、アップ・ダウンリンクスケジューリングＤＣＩにおける情報は、基地局又はユーザー装置が、周波数帯域におけるどの帯域幅ブロックでの通信リソースが占用されるかを検出する必要があることを指示する。しかしながら、ＮＲシステムでは、ＢＷＰ概念が導入されるため、無許可周波数帯域におけるチャンネル検出配置は、スケジューリングのコンポーネントキャリア（広帯域幅）で検出するかそれとも当該コンポーネントキャリア内のアクティブ化されたＢＷＰ（狭帯域幅）で検出するかを確定する必要がある。
【００２４】
そのため、ＮＲシステムにおいて、異なるリソーススケジューリング単位（キャリア／コンポーネントキャリア及び帯域幅ブロック）が同時に存在し、無許可周波数帯域でチャンネル検出を実行するときに、少なくとも現在の適用シナリオのサービスタイプに基づいて、異なる帯域幅の粒度に基づくチャンネル検出モードを配置することが考えられ、これによって、チャンネル検出を実行する基地局とユーザー装置の作業負荷と複雑さを軽減しながら、リソース割当効率を向上させることができる。
【００２５】
ここで、チャンネル検出モードは、コンポーネントキャリアに基づくチャンネル検出と帯域幅ブロックに基づくチャンネル検出を含むことができる。帯域幅ブロックは、スケジューリングされたコンポーネントキャリアで分割され、当該コンポーネントキャリアの帯域幅よりも小さい帯域幅を有するブロックである。同じコンポーネントキャリア内で複数の帯域幅ブロックが分割され、これらの複数の帯域幅ブロックは、互いに同じ又は異なる帯域幅、中心周波数ポイント位置、及びパラメータ配置（ｎｕｍｅｒｏｌｏｇｙ）を持っていることができる。実際の適用シナリオに応じて、同じ時刻で１つの帯域幅ブロックを、単一のユーザーの単一のサービス伝送のためにアクティブ化するか、又は、複数の帯域幅ブロックを、それぞれ異なるサービス伝送のために同時にアクティブ化してもよい。以下、コンポーネントキャリアに基づくチャンネル検出と帯域幅ブロックに基づくチャンネル検出についてそれぞれ詳細に説明する。
【００２６】
チャンネル検出モード配置ユニット１０２はさらに、無線通信サービスタイプが広帯域幅を必要とする場合に、チャンネル検出モードがコンポーネントキャリアに基づくチャンネル検出であると確定するように配置されることができる。具体的に、例えば、強化されたモバイルブロードバンド（Ｅｎｈａｎｃｅｄ  Ｍｏｂｉｌｅ  Ｂｒｏａｄｂａｎｄ、ｅＭＢＢ）サービスなどのデータ伝送に広帯域幅を必要とするサービスタイプについて、チャンネル検出といくつかのシグナリングの前方互換性のために、チャンネルにアクセスする基地局又はユーザーは、スケジューリングされたコンポーネントキャリアによって占用される帯域幅を検出する必要があり、それによって、関連するシグナリングに検出されるチャンネル帯域幅の中心周波数ポイント及びサイズに関する情報を追加する必要がなく、このようにして、従来のＬＴＥにおけるシグナリングの内容を変更せず実現することができる。
【００２７】
一方、チャンネル検出モード配置ユニット１０２はさらに、無線通信サービスタイプが狭帯域幅を必要とする場合に、チャンネル検出モードが帯域幅ブロックに基づくチャンネル検出であると確定するように配置されることができる。具体的に、例えば大規模なマシン通信（Ｍａｓｓｉｖｅ  Ｍａｃｈｉｎｅ  Ｔｙｐｅ  ｏｆ  Ｃｏｍｍｕｎｉｃａｔｉｏｎ、ｍＭＴＣ）サービスなどのデータ伝送に狭い帯域幅のみを必要とするサービスタイプについて、単一のユーザー装置のサービスは、コンポーネントキャリア帯域幅の全体を占用する必要はないため、帯域幅リソース利用率を向上するために、基地局は、コンポーネントキャリアで複数の帯域幅ブロックを１つ以上のユーザー装置にスケジューリング及び配置することができる。このとき、コンポーネントキャリアに基づくチャンネル検出が使用される場合、チャンネル検出状態が占用される状態であると、複数のサービスの通信に影響することによって、ＮＲシステム全体における無許可周波数帯域での通信効率に影響する。従って、帯域幅ブロックに基づくチャンネル検出を配置することによって、基地局又はユーザー装置は割り当てられる１つ以上の帯域幅ブロックでチャンネル検出を実行するだけで済む。コンポーネントキャリアに基づくチャンネル検出モードと比べると、チャンネルアクセス確率とチャンネル利用率を向上させるだけでなく、狭帯域幅でのチャンネル検出についても検出の複雑さが低減されるため、基地局とユーザー装置の電力消耗及び作業負荷が削減される。
【００２８】
なお、好ましくは、無線通信サービスタイプの代わり、又は、無線通信サービスタイプと組み合わせて、チャンネル検出モード配置ユニット１０２は、セル負荷状況に基づいてチャンネル検出モードを確定することができる。
【００２９】
具体的に、セル負荷が小さい場合、例えば、あるユーザー装置に対するあるサービスがコンポーネントキャリア帯域幅のほぼ全体を占用する場合、チャンネル検出モード配置ユニット１０２はチャンネル検出モードをコンポーネントキャリアに基づくチャンネル検出として確定することができる。一方、セル負荷が大きい場合に、例えば、１つ以上のユーザー装置に対する複数のサービスが同時に存在し、チャンネル検出モード配置ユニット１０２は、チャンネル検出モードが帯域幅ブロックに基づくチャンネル検出であると確定することができる。
【００３０】
好ましくは、コンポーネントキャリアに基づくチャンネル検出と帯域幅ブロックに基づくチャンネル検出の利点を兼ね合うために、チャンネル検出モードは、コンポーネントキャリアに基づくチャンネル検出と帯域幅ブロックに基づくチャンネル検出を組み合わせたハイブリッドチャンネル検出をさらに含んでもよい。ハイブリッドチャンネル検出では、最初にコンポーネントキャリアでチャンネル検出を実行し、検出結果がビジーである場合、さらにスケジューリングされた帯域幅ブロックに従って、よりきめの細かいチャンネル検出を実行してもよい。ハイブリッドチャンネル検出によってもたらされる利点は、ＮＲシステムが無許可周波数帯域にアクセス可能性が高まることである。ハイブリッドチャンネル検出によれば、コンポーネントキャリアのチャンネル検出結果がチャンネルアイドルである場合、当該キャリア帯域幅における全てのサービスはチャンネル検出を実行しないで伝送でき、各帯域幅ブロックでチャンネル検出を実行するオーバーヘッドを大幅に節約することができる。コンポーネントキャリアのチャンネル検出結果がチャンネルビジーである場合、ＢＷＰに基づくチャンネル検出に切り替え、各スケジューリングされた帯域幅ブロックでチャンネル検出をそれぞれ実行し、検出結果がアイドルである帯域幅ブロックに対応するサービスのみが伝送され、それ以外の場合に、リッスンして待機し続けるため、チャンネルアクセス確率が向上する。
【００３１】
ここで、注意されたいことは、以上で無線通信サービスタイプ及びセル負荷の２つの要因を例としてＮＲシステムにおける無許可周波数帯域でのチャンネル検出モードの配置を説明したが、実際の適用シナリオに応じて、互換性を確保し、降低チャンネル検出の複雑さと処理負荷を軽減し、帯域幅割り当ての効率を向上し、チャンネルアクセス確率を高めるなどの利点のうち少なくとも１つが得られる限り、上記の２つの要因を置き換えたり組み合わせたりすることによって配置してもよいことは理解されるべきである。
【００３２】
また、本開示の技術では、現在の無線通信技術の開発状況に基づいて上記の３つのチャンネル検出モードが提案されたが、将来の無線通信技術の発展に伴って、３つ以上の帯域幅の粒度に基づくチャンネル検出モードが存在する可能性は排除されないことに留意されたい。
【００３３】
配置情報生成ユニット１０４は、確定されたチャンネル検出モードを含む配置情報を生成するように配置されることができる。当該配置情報は、ユーザー装置に当該チャンネル検出モードを指示するように、高位レイヤシグナリング（例えば、ＲＲＣレイヤシグナリング、ＭＡＣレイヤ制御ユニット（Ｃｏｎｔｒｏｌ  Ｅｌｅｍｅｎｔ、ＣＥ）など）によってユーザー装置に送信されることができる。
【００３４】
［１-２．初期ＢＷＰの配置］
チャンネル検出モードが帯域幅ブロックに基づくチャンネル検出又はハイブリッドチャンネル検出であると確定した後、アップ・ダウンリンクの初期帯域幅ブロックを配置してアップ・ダウンリンク通信を実現する必要がある。以下、ダウンリンク通信シナリオ及びアップリンク通信シナリオのそれぞれに対して、初期帯域幅ブロックの配置を詳細に説明する。
【００３５】
(１−２−１．ダウンリンク通信シナリオの例)
図２は、本開示の実施例による無線通信システムにおける基地局側の装置の別の機能配置例を示すブロック図である。
【００３６】
図２に示すように、当該例による装置２００はチャンネル検出モード配置ユニット２０２、チャンネル検出ユニット２０４、選択ユニット２０６及び配置情報生成ユニット２０８を含むことができる。以下、各ユニットの機能配置例について詳細に説明する。
【００３７】
チャンネル検出モード配置ユニット２０２の機能配置例は上記のチャンネル検出モード配置ユニット１０２と基本的に同じであり、ここで再度説明しない。
【００３８】
チャンネル検出ユニット２０４は、チャンネル検出モードが帯域幅ブロックに基づくチャンネル検出又はハイブリッドチャンネル検出であると確定される場合に、１つ以上のダウンリンク初期帯域幅ブロックでチャンネル検出を実行するように配置されることができる。
【００３９】
１つ以上のダウンリンク初期帯域幅ブロックは、現在の通信シナリオに基づいて割り当てられる。無許可周波数帯域において、チャンネルアクセス確率を高めるために、複数のアップリンク／ダウンリンク初期帯域幅ブロックを配置することは好ましい。これらの複数のアップリンク初期帯域幅ブロックと複数のダウンリンク初期帯域幅ブロックは、ペアで配置及びスケジューリングされてもよく、個別に配置及びスケジューリングされてもよく、これについては以下で詳細に説明する。
【００４０】
選択ユニット２０６はチャンネル検出結果に基づいて、１つ以上のダウンリンク初期帯域幅ブロックから、チャンネル検出結果がアイドルでありかつ高優先度及び／又はＬＢＴタイプがシンプルタイプであるダウンリンク初期帯域幅ブロックを、ダウンリンク伝送に使用される帯域幅ブロックとして選択するように配置されることができる。
【００４１】
チャンネル検出ユニット２０４は、複数のダウンリンク初期ＢＷＰにおけるチャンネル検出結果がいずれもアイドルである可能性があり、この場合に、選択ユニット２０６は、各ダウンリンク初期ＢＷＰの優先度とＬＢＴタイプのうち少なくとも１つをさらに考慮してダウンリンク伝送に実際に使用される帯域幅ブロックを選択することができる。
【００４２】
コンポーネントキャリア内で配置された複数のＢＷＰは、互いに直交するか又は部分的にオーバーラップする場合がある。帯域幅利用率を向上するために、いくつかの適用シナリオでは、１つのコンポーネントキャリア内で配置された異なるサービス又は異なるユーザーに対する複数のＢＷＰをオーバーラップする部分が存在するように配置することができる。これらのオーバーラップ部分では、異なるサービスは、パンチング又は多重化方式でこの割り当てられたリソースブロックを共有することができる。そのため、例として、ＢＷＰと他のＢＷＰの間にオーバーラップ部分が存在するかどうかによってその優先度を確定することができる。例えば、オーバーラップ部分が存在するＢＷＰに低優先度を割り当て、オーバーラップ部分が存在しないＢＷＰに高優先度を割り当てることができ、それによって、選択ユニット２０６は、通信品質を向上させるために、オーバーラップ部分が存在しない高優先度のアイドルＢＷＰを優先的に選択することができる。
【００４３】
一方、ＬＴＥにおけるＬＢＴタイプの設定と同様に、帯域幅ブロックでチャンネル検出を実行するときに、対応するＬＢＴタイプを設定してもよい。ＬＢＴタイプは、シンプルタイプ（例えばｔｙｐｅ２、２５μｓのＬＢＴ）及び複雑タイプ（ランダムバックオフメカニズムを含むＬＢＴ、例えば、ｔｙｐｅ１）を含むことができる。従って、好ましくは、各ＢＷＰの優先度を考慮するか又は優先度を組み合わせて考慮する代わりに、選択ユニット２０６は、チャンネルアクセス速度を向上するように、ＢＴタイプがシンプルタイプであるアイドルＢＷＰを優先的に選択してもよい。ＬＢＴタイプの設定の詳細については後述する。
【００４４】
なお、実際に選択が行われるときに、優先度とＬＢＴタイプの２つの要因が競合するときに、選択ユニット２０６は実際の適用シナリオに応じて優先度とＬＢＴタイプの２つの要因のどちらを優先させるかを確定することができることに留意されたい。
【００４５】
配置情報生成ユニット２０８は、選択されたダウンリンク初期帯域幅ブロックを含む配置情報を生成してユーザー装置に送信するように配置されることができる。好ましくは、配置情報生成ユニット２０８はさらに、選択されたダウンリンク初期帯域幅ブロックを含む配置情報を、ユーザー装置に送信するためにダウンリンク制御情報に含めるように配置されることができる。
【００４６】
図３は、本開示の実施例によるダウンリンク初期ＢＷＰの配置例を示す概略図である。
【００４７】
図３に示すように、基地局はコンポーネントキャリア内で３つのダウンリンク初期帯域幅ブロックＢＷＰ１、ＢＷＰ２及びＢＷＰ５が配置され、その中、ＢＷＰ１の最高優先度がＰ１であると仮定する。しかし、ＢＷＰ１におけるチャンネル検出結果（ＬＢＴ結果とも呼ばれる）は、チャンネルビジーである（図３にマーク「×」で示される）ため、選択されることができない。ＢＷＰ２及びＢＷＰ５におけるチャンネル検出結果はいずれもチャンネルアイドルであるが、ＢＷＰ５は別の帯域幅ブロックＢＷＰ３とオーバーラップするため低い優先度（優先度Ｐ３）を有し、この場合、アイドルでありかつ優先度がＰ２である（優先度Ｐ３よりも高い）ＢＷＰ２を最終的なダウンリンク初期ＢＷＰとして選択することができる。当該ダウンリンク初期ＢＷＰの指示情報は、ダウンリンクデータを受信する周波数領域位置をユーザー装置に指示するように、ＤＣＩを介してユーザー装置ＵＥ１に送信されることができる。
【００４８】
好ましくは、ユーザー装置が基地局からのダウンリンク制御情報を受信するように全帯域幅で検出する必要があることに起因するユーザー装置の電力消耗が大きいという課題を解決するために、上記の配置情報生成ユニット１０４のようにチャンネル検出モードを含む配置情報を生成することに加えて、配置情報生成ユニット２０８はさらに、上記の１つ以上のダウンリンク初期帯域幅ブロック（例えば、図３に示すＢＷＰ１、ＢＷＰ２及びＢＷＰ５）を含む初期帯域幅ブロック配置情報を生成してユーザー装置に送信するように配置されることができる。当該初期帯域幅ブロック配置情報は高位レイヤシグナリング（例えば、ＲＲＣシグナリング、ＭＡＣ  ＣＥなど）を介して、ユーザー装置に送信されることができ、それによって、ユーザー装置は受信された配置情報に従って、１つ以上のダウンリンク初期帯域幅ブロックのみで基地局からのダウンリンク制御情報を検出し、さらに、ダウンリンクデータが受信される周波数領域位置（例えば、図３に示すＢＷＰ２）を確定する。このようにして、全帯域幅で検出すると比べると、ユーザー装置側の電力消耗が低減される。初期帯域幅ブロック配置情報は例えば、ＲＲＣ接続が確立された後ＲＲＣシグナリングによってユーザー装置に送信され、ＲＲＣ接続が確立される前に、基地局とユーザー装置側の両方にも確実的な接続がないため、このとき、両方は例えば装置製造業者によって予め配置されたアップリンク／ダウンリンクデフォルト帯域幅ブロックを介して通信して接続を確立することができることに留意されたい。
【００４９】
好ましくは、当該初期帯域幅ブロック配置情報は、１つ以上のダウンリンク初期帯域幅ブロックとペアリングする１つ以上のアップリンク帯域幅ブロックをさらに含んでもよい。１つ以上のアップリンク帯域幅ブロックは例えば、ダウンリンクデータに対するフィードバック（ＡＣＫ／ＮＡＣＫ）の受信、チャンネル状態情報（ＣＳＩ）の報告、アップリンクスケジューリング要求（ＳＲ）の送信、及びデータ伝送などにユーザー装置によって使用される。或いは、ダウンリンク伝送の場合に、ユーザー装置は小さなアップリンク伝送帯域幅しか必要としないため、オーバーヘッドを削減するために、１つ以上のアップリンク帯域幅ブロックを配置しなくてもよく、ユーザー装置はアップリンクデフォルト帯域幅ブロックを利用して、対応するダウンリンクデータ受信フィードバック、ＣＳＩ報告、ＳＲなどを送信してもよい。
【００５０】
（１−２−２．アップリンク通信シナリオの例）
図４は、本開示の実施例による無線通信システムにおける基地局側の装置のさらに別の機能配置例を示すブロック図である。
【００５１】
図４に示すように、この例による装置４００は、チャンネル検出モード配置ユニット４０２、チャンネル検出ユニット４０４及び配置情報生成ユニット４０６を含むことができる。以下、各ユニットの機能配置例について詳細に説明する。
【００５２】
チャンネル検出モード配置ユニット４０２の機能配置例は上記のチャンネル検出モード配置ユニット１０２と基本的に同じであり、ここで再度説明しない。
【００５３】
配置情報生成ユニット４０６は、チャンネル検出モードには帯域幅ブロックに基づくチャンネル検出が含まれる場合に、ユーザー装置からのアップリンクスケジューリング要求に応答して、１つ以上のアップリンク初期帯域幅ブロックを含む初期帯域幅ブロック配置情報を生成して、ユーザー装置に送信するように配置されることができる。
【００５４】
具体的に、ユーザー装置にアップリンクサービス伝送があるときに、ユーザー装置は、アップリンクデフォルトＢＷＰ、又は前回のダウンリンク伝送が実行されるときに基地局によって通知されるダウンリンク伝送のために基地局によって使用されるダウンリンクＢＷＰとペアリングするアップリンクＢＷＰを介して、アップリンクスケジューリング要求（ＳＲ）を基地局に送信することができ、基地局は、要求を受信した後に、ネットワーク状況を総合的に考慮して、１つ以上のアップリンク初期帯域幅ブロックをユーザー装置に割り当て、高位レイヤシグナリング（例えば、ＲＲＣシグナリング、ＭＡＣ  ＣＥなど）によって、１つ以上のアップリンク初期帯域幅ブロックを含む配置情報をユーザー装置に通知することができる。
【００５５】
配置情報生成ユニット４０６はさらに、１つ以上のアップリンク初期帯域幅ブロックに対応する１つ以上のアップリンクスケジューリング情報を生成するように配置されることができる。
【００５６】
チャンネル検出ユニット４０４は、１つ以上のアップリンク初期帯域幅ブロックとペアリングする１つ以上のダウンリンク帯域幅ブロックでチャンネル検出をそれぞれ実行して、チャンネル検出結果がアイドルである１つ以上のダウンリンク帯域幅ブロックによって、生成された１つ以上のアップリンクスケジューリング情報をユーザー装置に送信するように配置されることができる。
【００５７】
具体的に、基地局は、高位レイヤシグナリングによって、１つ以上のアップリンク初期ＢＷＰをユーザー装置に配置することができるが、基地局は、アイドルダウンリンクＢＷＰによって、アップリンク伝送に使用されるリソース割当をユーザー装置に指示するように１つ以上のアップリンク初期ＢＷＰに対応するアップリンクスケジューリング情報をユーザー装置に送信する必要が依然としてある。一例として、アップリンク初期ＢＷＰとそれとペアリングするダウンリンクＢＷＰが同じブロック周波数リソースを共有すると仮定すると、アップリンク初期ＢＷＰに対応するダウンリンクＢＷＰがアイドルとして検出された場合のみに、基地局は、当該ダウンリンクＢＷＰを介して、アップリンク対応アップリンク初期ＢＷＰのアップリンクスケジューリング情報をユーザー装置に送信することができ、それに対応するダウンリンクＢＷＰが占用するアップリンク初期ＢＷＰに対して、基地局は、対応するアップリンクスケジューリング情報を送信しない。このようにして、ユーザー装置は、対応するアップリンクスケジューリング情報を受信したアップリンク初期ＢＷＰのみでチャンネル検出を実行して、最終的にアップリンク伝送に使用されるアップリンク初期ＢＷＰを選択する。
【００５８】
その代わりに、例示的な実現として、１つ以上のアップリンク初期帯域幅ブロックに対応する１つ以上のアップリンクスケジューリング情報の生成は、チャンネル検出ユニット４０４が対応するダウンリンク帯域幅ブロックでチャンネル検出を実行した後に実行されてもよい。具体的に、あるダウンリンク帯域幅ブロックのチャンネル検出結果がアイドルであるとチャンネル検出ユニット４０４によって確定される場合に、配置情報生成ユニット４０６は、当該ダウンリンク帯域幅ブロックに対応するアップリンク初期帯域幅ブロックのアップリンクスケジューリング情報を生成して、当該ダウンリンクＢＷＰによってユーザー装置に送信することができる。
【００５９】
好ましくは、配置情報生成ユニット４０６によって生成された初期帯域幅ブロック配置情報は、アップリンク伝送のために適切なアップリンク初期帯域幅ブロックをユーザー装置が選択するように１つ以上のアップリンク初期帯域幅ブロックに関する優先度配置情報及びＬＢＴタイプ配置情報を含んでもよい。優先度は同様に、例えば他のＢＷＰとのオーバーラップ及び／又は他の要素が存在するかどうかに基づいて設定されることができる。
【００６０】
図５は本開示の実施例によるアップリンク初期ＢＷＰの配置例を示す概略図である。
【００６１】
複数のユーザー装置は同じコンポーネントキャリアがカバーする帯域幅を共有することができるため、異なるユーザー装置に割り当てられたアップリンク初期帯域幅ブロックのオーバーラップ部分が存在する可能性があり、オーバーラップ部分が存在するアップリンク初期帯域幅ブロックは低い優先度に設定され、オーバーラップ部分が存在しないアップリンク初期帯域幅ブロックは高い優先度に設定されることができる。
【００６２】
図５に示すように、ユーザー装置ＵＥ１に割り当てられるアップリンク初期帯域幅ブロックがＢＷＰ１、ＢＷＰ２及びＢＷＰ５であり、ユーザー装置ＵＥ２に割り当てられるアップリンク初期帯域幅ブロックがＢＷＰ３及びＢＷＰ４であり、ＢＷＰ２及びＢＷＰ３にオーバーラップが存在すると仮定する。ユーザー装置ＵＥ１にとって、それに割り当てられるアップリンク初期帯域幅ブロックのＢＷＰ１、ＢＷＰ２及びＢＷＰ５の優先度はそれぞれＰ１、Ｐ３及びＰ２に設定され、その中、Ｐ１が最高であり、Ｐ３が最低であると仮定する。以下、ユーザー装置ＵＥ１を例としてアップリンク初期ＢＷＰの配置について説明し、ユーザー装置ＵＥ２に対する処理と同様であり、ここで再度説明しない。
【００６３】
基地局は、ユーザー装置ＵＥ１に関する初期帯域幅ブロック配置情報を、例えばＲＲＣシグナリングによってユーザー装置ＵＥ１に送信する。次に、基地局は、アップリンク初期帯域幅ブロックＢＷＰ１、ＢＷＰ２及びＢＷＰ５にそれぞれ対応するダウンリンク帯域幅ブロックＢＷＰ１’、ＢＷＰ２’及びＢＷＰ５’でチャンネル検出を実行する。図５に示すように、チャンネル検出結果がいずれもアイドルであると仮定すると、基地局は次に、ＢＷＰ１’によって、ＢＷＰ１に関するアップリンクスケジューリング情報（ＵＬ  ｇｒａｎｔ）をユーザー装置ＵＥ１に送信し、ＢＷＰ２’によって、ＢＷＰ２に関するアップリンクスケジューリング情報（ＵＬ  ｇｒａｎｔ）をユーザー装置ＵＥ１に送信し、また、ＢＷＰ５’によって、ＢＷＰ５に関するアップリンクスケジューリング情報（ＵＬ  ｇｒａｎｔ）をユーザー装置ＵＥ１に送信する。このようにして、ユーザー装置ＵＥ１は、受信されたアップリンクスケジューリング情報を復号化することによって、次に検出されるアップリンク初期帯域幅ブロック（ＢＷＰ１、ＢＷＰ２及びＢＷＰ５）を確定し、チャンネル検出結果と優先度及び／又はＬＢＴタイプに従って、適切なアップリンク初期帯域幅ブロックをアップリンク伝送に使用される帯域幅ブロックとして選択することができる。
【００６４】
各アップリンク初期帯域幅ブロックのスケジューリング情報が、それに対応するダウンリンク帯域幅ブロックで伝送されるダウンリンク制御情報（ＤＣＩ）を介してユーザー装置に送信されるため、好ましくは、１つ以上のダウンリンク帯域幅ブロックの配置情報も、初期帯域幅ブロック配置情報に含まれて、基地局からのＤＣＩを検出するためにユーザー装置によって消耗される電力を削減するために、一緒にユーザー装置に送信される。
【００６５】
図４に戻り、好ましくは、チャンネル検出ユニット４０４はさらに、ダウンリンクデフォルト帯域幅ブロック、又はアップリンク伝送にユーザー装置によって使用されるアップリンク初期帯域幅ブロックとペアリングするダウンリンク帯域幅ブロックでチャンネル検出を実行し、チャンネル検出結果がアイドルである場合に、ダウンリンクデフォルト帯域幅ブロック、又はアップリンク伝送にユーザー装置によって使用されるアップリンク初期帯域幅ブロックとペアリングするダウンリンク帯域幅ブロックでアップリンク受信フィードバック（ＡＣＫ／ＮＡＣＫ）及び／又は測定配置などを実行するように配置されることができる。
【００６６】
上記のアップリンクデフォルト帯域幅ブロックとダウンリンクのデフォルト帯域幅ブロックは、例えば、装置製造業者によって予め配置されてもよく、好ましくは、小さな帯域幅のＢＷＰをデフォルトＢＷＰとして設置し、より好ましくは、デフォルトＢＷＰの帯域幅は同期信号ブロック（ＳＳ  ｂｌｏｃｋ）によって占用される帯域幅以上であってもよい。
【００６７】
以上、図２乃至図５を参照してダウンリンク通信シナリオ及びアップリンク通信シナリオでの初期ＢＷＰ配置について説明する。しかしながら、初期ＢＷＰはデフォルトＢＷＰであってもよいことは理解されるべきである。このようにして、上記の一連の処理を実行する必要がなく、基地局とユーザー装置との両方は、サービス伝送があるときにそれぞれのデフォルトＢＷＰがアイドルであるかどうかを検出し、アイドルの場合に当該デフォルトＢＷＰを介して伝送する。しかしながら、デフォルトＢＷＰが一般に帯域幅が小さいため、アップリンク／ダウンリンクサービス伝送のニーズを満たすことができない場合が多いため、基地局が上記のプロセスを実行してより合理的なアップリンク／ダウンリンク初期帯域幅ブロックを配置することを再トリガーする必要がある。
【００６８】
［１−３．ＢＷＰの配置及びスケジューリング］
上記の実施例によれば、ＢＷＰに関する配置情報は、高位レイヤシグナリング（例えば、ＲＲＣシグナリング又はＭＡＣ  ＣＥなど）及び／又は物理レイヤシグナリング（例えば、ＤＣＩ）に含まれる。具体的に、選択される複数のＢＷＰの配置情報は、例えばＲＲＣシグナリングを介して伝送されることができ、アップ・ダウンリンクリソース割り当て及びスケジューリングに関するＢＷＰの配置情報はＤＣＩを介して伝送されることができる。
【００６９】
ＤＣＩを介してＢＷＰの関連する配置情報を伝送するときに、一例として、既存のダウンリンク制御情報フォーマットの変更、ダウンリンク制御情報フォーマットの追加又は別個のダウンリンク制御情報の追加によって、ＢＷＰ配置情報を含むダウンリンク制御情報を生成することができる。
【００７０】
通常の通信状態では、スケジューリングＤＣＩによって、異なるＢＷＰをアクティブ化及び非アクティブ化することができる。スケジューリングＤＣＩは、従来の意味でＬＴＥによって使用されるＤＣＩであり、アップ・ダウンリンクサービスの基本的なスケジューリングである。しかしながら、ＢＷＰの概念が導入された後、ＢＷＰに関する配置情報をＤＣＩ情報に追加する必要がある。
【００７１】
一例として、既存のダウンリンク制御情報フォーマットに、ＢＷＰに関する配置情報を追加することができる。具体的に、スケジューリングＤＣＩの既存のＤＣＩフォーマット（ＤＣＩ  Ｆｏｒｍａｔ）にＢＷＰに関するフィールドを変更することによって、ユーザー装置に現在のＢＷＰ配置を指示することができる。当該新しく追加されたフィールドは以前のコンポーネントキャリアのＤＣＩにおける指示と同様であってもよく、ｎ（その中、ｎはアップリンク／ダウンリンク伝送に対して配置可能な最大ＢＷＰの数に依存する）ビットのＢＷＰ番号は、現在配置されたＢＷＰの位置及び帯域幅を指示することができる。これは、ユーザー装置側でＢＷＰ配置テーブルが予め記憶される必要があり、それによって、ユーザー装置は、その位置、帯域幅及びパラメータ配置を確定するように、受信されたスケジューリングＤＣＩで指示されるＢＷＰ番号に従って、記憶されたＢＷＰ配置テーブルを検索することができる。アップリンク／ダウンリンクＢＷＰがペアになる配置の場合に、ＢＷＰ配置テーブルに記憶された配置情報もペアで記憶され、ＤＣＩで示されるＢＷＰ番号をＢＷＰペアの番号に同様に変更することができることに注意されたい。
【００７２】
ここで、ＤＣＩ  Ｆｏｒｍａｔ  ０Ａを例としてＢＷＰ配置に関する新しく追加されるフィールドの位置及び説明について説明する。
DCI  Format  0A
-  Carrier  indicator  -  0  or  3  bits.  This  field  is  present  according  to  the  definitions  in  [3].
-  BWP  indicator  -  n  bits.  n  depends  on  the  maximum  number  of  configured  BWP  for  DL/UL.
……
【００７３】
上記のＣａｒｒｉｅｒ  ｉｎｄｉｃａｔｏｒはキャリア番号を表し、０又は３ビットであってもよい。新しく追加されたフィールドＢＷＰ  ｉｎｄｉｃａｔｏｒはＢＷＰ番号を表し、ｎビットであってもよい。また、任意選択で、従来のＤＣＩフォーマットを変更する別の方法として、スケジューリングＤＣＩの従来ＤＣＩフォーマットにおけるコンポーネントキャリアに関するフィールドにＢＷＰに関するビットを追加し、即ち、ＢＷＰの配置とコンポーネントキャリアの配置をバンドルし、これによって、ユーザー装置は、ＤＣＩを復号化するときにこれらの両方のタイプの情報を同時に取得することができる。例えば、上記のＤＣＩ  Ｆｏｒｍａｔ  ０を例として、元のフィールドＣａｒｒｉｅｒ  ｉｎｄｉｃａｔｏｒを３ビットから５ビットに増やし、後の２ビットが現在のコンポーネントキャリアでアクティブ化されたＢＷＰを指示するために使用されることができる。しかしながら、この方法は、前方互換性が低下する可能性があり、同じ復号化ルールが配置されていないＬＴＥユーザー装置は、ＤＣＩのこのフィールドを正常に復号化できず、コンポーネントキャリアの配置情報を取得することができなくなる。
【００７４】
その代わりに、別の例として、既存のＤＣＩフォーマットを変更する代わりに、ダウンリンク制御情報フォーマットを新しく追加してＢＷＰの関連する配置情報を含むこともでき、それにより、基地局は、様々なユーザー装置がＤＣＩ情報を正確に復号化できるように、ＬＴＥユーザー装置であるかそれともＮＲユーザー装置であるかに応じて、元のＤＣＩフォーマットを送信するかそれとも新しく追加されたＤＣＩフォーマットを送信するかを選択することができる。
【００７５】
別の例として、既存のスケジューリングＤＣＩを使用しなく、ＢＷＰの配置を特別に指示するために別個のＤＣＩを追加することができる。このようにして、スケジューリングの柔軟性が向上し、スケジューリング中にＢＷＰをアクティブ化／非アクティブ化又は配置するだけでなく、他の任意の時刻で操作できる。別個のＤＣＩによってＢＷＰ配置情報を運ぶ方法は、許可支援アクセス（ＬＡＡ）セルフキャリアスケジューリングのシナリオに使用されることは好ましい。図６は、本開示の実施例によるＬＡＡセルフキャリアスケジューリングのシナリオでのシグナリングインタラクティブプロセスを示す。
【００７６】
図６に示す例では、Ｓｃｅｌｌは、例えば、伝送受信ポイント（ＴＲＰ）などの無許可周波数帯域で動作しているセカンダリセルであり、また、Ｐｃｅｌｌは、例えば、ｇＮｏｄｅＢ（ｇＮＢ）などの許可周波数帯域で動作しているプライマリセルであり、両方はＸ２インターフェースを介して通信することができると仮定する。
【００７７】
図６に示すように、Ｓｃｅｌｌは、ＬＢＴを実行した後、ステップＳ６０１では、無許可周波数帯域におけるＰＤＣＣＨによって、スケジューリングＤＣＩをユーザー装置ＵＥに送信し、当該スケジューリングＤＣＩには１つのデータ指示のみが含まれる。スケジューリングＤＣＩはセルフキャリアスケジューリングであるため、無許可周波数帯域においてリソースを取得したあとに送信できる。その後、Ｐｃｅｌｌは、ステップＳ６０２では、許可周波数帯域におけるＰＤＣＣＨによって、ＢＷＰ配置情報を含む別個のＤＣＩをユーザー装置ＵＥに送信する。ある実施例では、別個のＤＣＩはＢＷＰ配置情報のみを含むことができる。次に、Ｓｃｅｌｌは、ステップＳ６０３では、ＰＵＳＣＨによって、データをユーザー装置に送信する。ユーザー装置ＵＥは、データを受信した後、別個のＤＣＩで配置されたアップリンクＢＷＰ又はアップリンクデフォルトＢＷＰでＬＢＴを実行し、次に、ステップＳ６０４では、アイドルとして検出されたアップリンクＢＷＰで、無許可周波数帯域におけるＰＵＣＣＨによって、ＡＣＫ／ＮＡＣＫフィードバック又はＣＳＩ報告を基地局に実行する。
【００７８】
図６に記載された例によれば、許可周波数帯域でＢＷＰ配置情報を含む別個のＤＣＩを送信することによって、貴重な無許可周波数帯域リソースを占用しないだけでなく、無許可周波数帯域におけるシグナリングオーバーヘッドも増加せず、ＢＷＰの配置は比較的柔軟である。
【００７９】
ここで、図６に示される例では、説明の便宜上、各ステップに番号が付けられているが、これらの番号は、これらのステップが実行される先後順序を限定することを意図していない。実際に、いくつかのステップは、並行して実行されるか、又は、順序を入れ替えることもできる。例えば、ステップＳ６０２における別個のＤＣＩの送信は、ステップＳ６０１におけるスケジューリングＤＣＩの送信と同時に実行されてもよい。また、例えば、図６では、ステップＳ６０１でＰＤＣＣＨによってスケジューリングＤＣＩを送信することと、ステップＳ６０３でＰＵＳＣＨによってダウンリンクデータを送信することとは、２つの別個のステップとして示されるが、実際に、これらの２つの情報は異なるチャンネルで同時に送信される。
【００８０】
また、本開示の実施例では、無許可周波数帯域においてＢＷＰの配置とスケジューリングを実行するときに、ペアリングが必要かどうかを選択的に確定されることができる。以下、スケジューリングＤＣＩがＢＷＰ配置情報を搬送するために使用されることを例として説明するが、当業者は本開示の原理に従って、別個のＤＣＩがＢＷＰ配置情報を搬送するための場合に適用するように、下記のシグナリングインタラクティブのプロセスを修正することができることに留意されたい。
【００８１】
周波数分割複信（ＦＤＤ）システムでは、リソース選択のオーバーラップによってシステムの周波数選択に発生した干渉を低減するために、アップリンク帯域幅ブロックは、ダウンリンク帯域幅ブロックと同じブロック周波数リソースを共有しない。そのため、スケジューリングを行うときに、アップリンク／ダウンリンク帯域幅ブロックをペアリングしてスケジューリングする必要がなく、基地局にダウンリンクサービス伝送があるときにダウンリンク帯域幅ブロックをスケジューリングし、ユーザー装置にアップリンクサービス伝送があるときのみにアップリンク帯域幅ブロックをスケジューリングする。このようなバンドルされていないＢＷＰスケジューリング方法はスケジューリングの柔軟性とスペクトル利用効率を向上させる。図７は、本開示の実施例によるＦＤＤシステムにおけるＢＷＰスケジューリング例のシグナリングインタラクティブのプロセスを示すフローチャートである。
【００８２】
図７に示すように、ダウンリンク伝送が実行されるときに、基地局は、対応するダウンリンクＢＷＰでＬＢＴを実行した後、ステップＳ７０１では、無許可周波数帯域における物理ダウンリンク制御チャンネル（ＰＤＣＣＨ）によってダウンリンクスケジューリングＤＣＩをユーザー装置に送信し、当該ダウンリンクＢＷＰの周波数領域位置をユーザー装置に指示するために、当該ダウンリンクスケジューリングＤＣＩには当該ダウンリンクＢＷＰの指示情報ＤＬ  ＢＷＰが含まれ、また、ステップＳ７０２では、物理ダウンリンク共有チャンネル（ＰＤＳＣＨ）によってダウンリンクデータをユーザー装置に送信するので、ユーザー装置は、以前通知された周波数領域位置でダウンリンクデータを受信することができる。その後、同様に、ＬＢＴを実行した後、基地局はステップＳ７０３では、ＰＤＣＣＨによってアップリンクスケジューリングＤＣＩをユーザー装置に送信し、当該アップリンクスケジューリングＤＣＩにはアップリンクＢＷＰの指示情報ＵＬ  ＢＷＰが含まれる。ユーザー装置は、受信されたアップリンクスケジューリングＤＣＩに従って、対応するアップリンクＢＷＰでＬＢＴを実行し、その後、ステップＳ７０４では、物理アップリンク共有チャンネル（ＰＵＳＣＨ）で当該アップリンクＢＷＰによって、アップリンクデータを基地局に送信するか、又は、任意選択で、物理アップリンク制御チャンネル（ＰＵＣＣＨ）で当該アップリンクＢＷＰによって基地局へのダウンリンク受信フィードバック（ＡＣＫ／ＮＡＣＫ）を実行して、ダウンリンクデータの受信に成功するかどうかを指示する。次に、基地局は、ＬＢＴが実行された後、ステップＳ７０５では、ＰＤＣＣＨで次のスケジューリング又はアップリンク受信フィードバック（ＡＣＫ／ＮＡＣＫ）を実行する。
【００８３】
時分割複信（ＴＤＤ）システムでは、アップ・ダウンリンク通信は同じブロック周波数リソースを共有するため、アップリンクスケジューリングでもダウンリンクスケジューリングでも、ユーザー装置は常にＢＷＰのペアを取得し、また、同じ中心周波数ポイントを使用し、このように、スケジューリングの追加が不要な場合の適時的なフィードバックに非常に役立ち、シグナリングのオーバーヘッドも削減される。図８は本開示の実施例によるＴＤＤシステムにおけるＢＷＰスケジューリングのシグナリングインタラクティブのプロセスを示すフローチャートである。
【００８４】
図８に示すように、ステップＳ８０１及びステップＳ８０２の処理は図７に示すステップＳ７０１及びステップＳ７０２の処理と基本的に同じであり、その相違は、ステップＳ８０１におけるダウンリンクスケジューリングＤＣＩに含まれたＢＷＰ配置情報がアップリンク／ダウンリンクＢＷＰペア（ＵＬ／ＤＬ  ＢＷＰペア）であることである。このように、ユーザー装置は、基地局からのダウンリンクデータを受信した後、直接的にアップリンク／ダウンリンクＢＷＰペアにおけるアップリンクＢＷＰでＬＢＴを実行することができ、その後、ステップＳ８０３では、ＰＵＣＣＨで当該アップリンクＢＷＰによってＡＣＫ／ＮＡＣＫフィードバックを実行し、図７に示される例のように基地局が追加のアップリンクスケジューリングを必要としない。アップリンク伝送のときに、同様に、基地局はステップＳ８０４ではアップリンクスケジューリングＤＣＩをユーザー装置に送信し、当該アップリンクスケジューリングＤＣＩにはアップリンク／ダウンリンクＢＷＰペア（ＵＬ／ＤＬ  ＢＷＰペア）も含まれる。ユーザー装置はアップリンクＢＷＰでＬＢＴを実行した後、ステップＳ８０５では、ＰＵＳＣＨで当該アップリンクＢＷＰによってアップリンクデータ伝送を実行し、基地局は、アップリンクデータを受信した後、追加のスケジューリングを必要としなく、対応するダウンリンクＢＷＰでＬＢＴを実行し、ＰＤＣＣＨで当該ダウンリンクＢＷＰによってＡＣＫ／ＮＡＣＫフィードバックを実行する。
【００８５】
完全なアップリンク又はダウンリンク通信を完了するには、図７に示されたＦＤＤシステムでは、２回のスケジューリング（ダウンリンクＢＷＰのスケジューリング及びアップリンクＢＷＰのスケジューリング）が必要であり、図８に示されたＴＤＤシステムでは、１回のスケジューリング（アップリンク／ダウンリンクＢＷＰペアのスケジューリング）のみが必要であることが分かる。そのため、ペアで配置及びスケジューリングされる方法はオーバーヘッドが小さいという利点を有するが、柔軟性は、別個に配置及びスケジューリングされる方法よりも悪い場合があり、当業者は実際の適用シナリオに応じて適切に選択することができる。
【００８６】
図７及び図８を参照して上述したＦＤＤシステム及びＴＤＤシステムにおけるシグナリングインタラクティブのプロセスは単なる例であり、当業者は、本開示の原理及び実際の状況に応じて適切な変更を実行することもできることに留意されたい。例えば、ＦＤＤシステムでは、ユーザー装置にアップリンクサービス伝送がなく、ダウンリンクデータに対するフィードバックのみを受信する必要があるときに、上記のステップＳ７０３を実行する代わりに、ユーザー装置ＵＥは、デフォルトＢＷＰでチャンネル検出を実行してチャンネル検出結果がアイドルである場合に、ステップＳ７０４では当該デフォルトＢＷＰを介してＡＣＫ／ＮＡＣＫフィードバックを実行することができる。また、例えば、図８には示されていないが、ユーザー装置ＵＥにアップリンクサービス伝送があるときに、前回のスケジューリングによって割り当てられたＢＷＰペアにおけるアップリンクＢＷＰによりアップリンクスケジューリング要求を送信することができる。このような変形の全ては、明らかに本開示の範囲内に入ると考えられるべきである。
【００８７】
なお、説明を容易にするために図７及び図８では時系列で各ステップに番号が付けられているが、これらの番号はこれらのステップが実行される先後順序を示していないことに留意されたい。実際に、いくつかのステップは並行して実行したり、順序を入れ替えたりすることができる。
【００８８】
［１−４．ＢＷＰ切り替えの配置］
図９は、本開示の実施例による無線通信システムにおける基地局側の装置のさらに別の機能配置例を示すブロック図である。
【００８９】
図９に示すように、この例による装置９００はチャンネル検出モード配置ユニット９０２、ＢＷＰ切り替え配置ユニット９０４及び配置情報生成ユニット９０６を含むことができる。以下、各ユニットの機能配置例について詳細に説明する。
【００９０】
チャンネル検出モード配置ユニット９０２の機能配置例は、上記のチャンネル検出モード配置ユニット１０２と基本的に同じであり、ここで再度説明しない。
【００９１】
ＢＷＰ切り替え配置ユニット９０４は、基地局側のＬＢＴタイマが切れた場合に、ダウンリンクデフォルト帯域幅ブロックでチャンネル検出を実行し、チャンネル検出結果がアイドルである場合に現在のダウンリンク帯域幅ブロックからダウンリンクデフォルト帯域幅ブロックに切り替えるか、又は、１つ以上のダウンリンク候補帯域幅ブロックでチャンネル検出を実行し、現在のダウンリンク帯域幅ブロックから１つ以上のダウンリンク候補帯域幅ブロックのうちチャンネル検出結果がアイドルでありかつ高優先度及び／又はＬＢＴタイプがシンプルタイプであるダウンリンク候補帯域幅ブロックに切り替えるように配置されることができる。
【００９２】
ＢＷＰのアクティブ化及び配置はＤＣＩによって実現される。ＢＷＰ切り替えが必要な場合、無許可周波数帯域に対して、シグナリングの切り替えは、チャンネル状態をさらに検出する必要があり、検出結果がビジーである場合、チャンネル検出状態がアイドルになるまで、切り替えプロセス全体を延期する必要がある。同時に、送受信側でのチャンネル取得の不確実性のために、初期配置されたＢＷＰが使用できない可能性がある。そのため、好ましくは、本開示の実施例では、タイマの方式を設定することによって、送受信側のＢＷＰ切り替えをトリガーすることができる。
【００９３】
具体的に、基地局側のＬＢＴタイマが切れた場合、つまり、基地局によって検出されたダウンリンクＢＷＰのチャンネル状態がビジーである持続時間がＬＢＴタイマの時間を超えた場合に、ＢＷＰ切り替え配置ユニット９０４は、デフォルトＢＷＰに自動的に切り替えてその上でチャンネル検出を実行し、検出結果がアイドルである場合に当該デフォルトＢＷＰによってダウンリンク伝送を実行することができる。このようにして、検出されるチャンネル帯域幅を狭くすることと、検出のための無線周波数要件を低減することによって、アクセス確率を高めることができる。この時点で、元々スケジューリングされたサービスは、デフォルトＢＷＰで伝送できない可能性があるが、基地局とユーザー装置との間の通信を維持することができ、これは元のサービスに対するバッファリングに相当する。
【００９４】
或いは、現在のダウンリンクサービスに大量のデータ伝送があり、デフォルトＢＷＰがニーズを満たすことができない場合に、ＢＷＰ切り替え配置ユニット９０４は、１つ以上のダウンリンク候補帯域幅ブロックでチャンネル検出を実行するように切り替え、現在のダウンリンク帯域幅ブロックから１つ以上のダウンリンク候補帯域幅ブロックのうちチャンネル検出結果がアイドルでありかつ高優先度及び／又はＬＢＴタイプがシンプルタイプであるダウンリンク候補帯域幅ブロックに切り替えるように配置されてもよい。複数のダウンリンク候補ＢＷＰでチャンネル検出を実行し、適切なダウンリンク候補ＢＷＰを選択するプロセスは上記のダウンリンク初期ＢＷＰを配置するプロセスと基本的に同じであり、ここで詳細にしない。この場合に、元々スケジューリングされたサービスが適切なＢＷＰで伝送されることを確保することができ、しかし、当該配置プロセスは追加のシグナリング及び時間が必要になるため、ある程度の切り替え遅延が発生する可能性がある。
【００９５】
一方、ユーザー装置側のＬＢＴタイマが切れた場合に、ユーザー装置は同様に現在のアップリンクＢＷＰからアップリンクデフォルトＢＷＰに切り替えてもよい。しかしながら、場合によって、デフォルトＢＷＰがデータ伝送要件を満たしていない可能性があるため、基地局は、選択のために１つ以上のアップリンク候補ＢＷＰをユーザー装置に再割り当てする必要がある。
【００９６】
この場合に、好ましい実現形態として、アップリンクデータ受信タイマは基地局側で維持することができ、当該タイマは、基地局がユーザー装置からのアップリンクスケジューリング要求（ＳＲ）を受信し、ユーザー装置にアップリンクスケジューリング情報（ＵＬ  ｇｒａｎｔ）を送信した後に起動し、それによって、ユーザー装置側で維持されるＬＢＴタイマと基本的に一致している。このようにして、ユーザー装置側のＬＢＴタイマが切れた場合に、基地局側のアップリンクデータ受信タイマはユーザー装置からのアップリンクデータを長時間受信していないため期限切れにし、これにより、基地局は、以前に配置されたアップリンクＢＷＰが利用できない可能性があり、選択のために１つ以上のアップリンク候補ＢＷＰをユーザー装置に再割り当てすることをトリガーする。
【００９７】
具体的に、配置情報生成ユニット９０６はさらに、基地局側のアップリンクデータ受信タイマが切れた場合に、１つ以上のアップリンク候補帯域幅ブロックを含む配置情報を生成してユーザー装置に送信するように配置されることができる。当該配置情報は同様に高位レイヤシグナリングによってユーザー装置に送信されてもよい。配置情報生成ユニット９０６はさらに１つ以上のアップリンク候補帯域幅ブロックに対応する１つ以上のアップリンクスケジューリング情報を生成するように配置されてもよい。その後、基地局側の装置は、１つ以上のアップリンク候補帯域幅ブロックに対応する１つ以上のダウンリンク帯域幅ブロックでチャンネル検出をそれぞれ実行し、チャンネル検出結果がアイドルである１つ以上のダウンリンク帯域幅ブロックによって、生成された１つ以上のアップリンクスケジューリング情報をユーザー装置に送信することができる。この配置プロセスは上記のアップリンク初期ＢＷＰをユーザー装置に配置するプロセスと基本的に同じであり、ここで再度詳細に説明しない。
【００９８】
図１０は、本開示の実施例によるＢＷＰ切り替えの例を示す概略図である。一例として、図１０は、ダウンリンク伝送中に基地局側のＬＢＴタイマが切れた場合を示し、「ＣＯＲＥＳＥＴ」は、ＰＤＣＣＨにおける制御リソースの一部に属する制御リソースセットを表し、ＢＷＰ１をスケジューリングするときに、同時に、次にスケジューリングされる帯域幅ブロックがＢＷＰ２であることをユーザー装置に指示するために使用され、ユーザー装置は適時的にＢＷＰ２に対応する時間周波数リソースでダウンリンクデータを受信するように切り替えられるようにする。図１０に示すように、現在のＢＷＰ１の制御チャンネルは、ダウンリンク伝送に使用される次のダウンリンク帯域幅ブロックがＢＷＰ２であることを示し、しかし、ＢＷＰ２が常に占用されるため、基地局側のＬＢＴタイマを期限切れにし、この時点で、基地局は、狭い帯域幅配置を有するデフォルトＢＷＰで伝送を実行するように切り替えられる。
【００９９】
図１０に示すＢＷＰ切り替えは一例にすぎず、上記の本開示の原理によれば、基地局側／ユーザー装置側の装置は、再配置されたダウンリンク／アップリンク候補ＢＷＰに切り替えることもできることは理解されるべきである。
【０１００】
［１-５．ＢＷＰにおけるＬＢＴタイプの配置］
図１１は本開示の実施例による無線通信システムにおける基地局側の装置のさらに別の機能配置例を示すブロック図である。
【０１０１】
図１１に示すように、この例による装置１１００は、チャンネル検出モード配置ユニット１１０２、ＬＢＴタイプ配置ユニット１１０４、及び配置情報生成ユニット１１０６を含むことができる。以下、各ユニットの機能配置例について詳細に説明する。
【０１０２】
チャンネル検出モード配置ユニット１１０２の機能配置例は、上記のチャンネル検出モード配置ユニット１０２と基本的に同じであり、ここで再度説明しない。
【０１０３】
ＬＢＴタイプ配置ユニット１１０４は、アップリンク／ダウンリンクＢＷＰにおけるＬＢＴタイプを確定するように配置されることができる。
【０１０４】
配置情報生成ユニット１１０６はさらに、ＬＢＴタイプに関する配置情報を生成してユーザー装置に送信するように配置されることができる。
【０１０５】
ＬＴＥ  ＬＡＡが複数のキャリアで無許可周波数帯域伝送を実現するプロセスと同様に、ダウンリンク伝送に対して、従来のコンポーネントキャリアで伝送を実行するＬＢＴ検出モードが使用され、次の２つのタイプを含むことができ、全てのＢＷＰで複雑タイプ（例えば、ｔｙｐｅ１）のＬＢＴ並行して実行するタイプＡ（Ｔｙｐｅ  Ａ）と、１つのＢＷＰをランダムに選択してｔｙｐｅ１のＬＢＴを実行し、他のＢＷＰでシンプルタイプ（例えば、ｔｙｐｅ２）のＬＢＴを実行する、タイプＢ（Ｔｙｐｅ  Ｂ）とである。アップリンク伝送に対して、基地局は、高位レイヤシグナリング（例えば、ＲＲＣシグナリング、ＭＡＣ  ＣＥなど）又はＤＣＩによって、対応するアップリンクＢＷＰにおけるＬＢＴタイプをユーザー装置に指示することができる。しかしながら、複数のアップリンクＢＷＰがユーザーに配置された場合に、ＤＣＩによって指示を実行すると、より多くの物理層リソースが占用される可能性がある。そのため、好ましくは、高位レイヤシグナリングによって、アップリンクＢＷＰで採用されているＬＢＴタイプをユーザー装置に指示する。
【０１０６】
また、ＬＴＥ  ＬＡＡで使用されるコンポーネントキャリアと異なり、ＢＷＰが周波数領域にオーバーラップがあるか又は完全に含まれる可能性があるため、チャンネルアクセスの速度を加速するように、切り替え前後のＢＷＰ的周波数領域範囲の間の関係に基づき従来のＬＢＴプロセスを最適化することが考えられる。
【０１０７】
例示的な実現形態として、ＬＢＴタイプ配置ユニット１１０４は、基地局又はユーザー装置が異なる帯域幅ブロックの間を切り替えるときに、切り替えの前後の帯域幅ブロックの周波数領域範囲の間の関係に基づいて、基地局又はユーザー装置の切り替え後の帯域幅ブロックにおけるＬＢＴタイプを確定するように配置されることができる。
【０１０８】
具体的に、切り替え前の帯域幅ブロックと切り替え後の帯域幅ブロックとの周波数領域範囲のオーバーラップ程度が所定の閾値以上であるか、又は切り替え前の帯域幅ブロックに切り替え後の帯域幅ブロックが含まれる場合に、切り替え後の帯域幅ブロックにおけるＬＢＴタイプがシンプルタイプであると確定する。一方、オーバーラップ程度が所定の閾値よりも小さい場合、切り替え後の帯域幅ブロックにおけるＬＢＴタイプが複雑タイプであると確定する。
【０１０９】
図１２Ａ及び図１２Ｂは、本開示の実施例によるＢＷＰにおけるＬＢＴタイプの配置例を示す概略図である。
【０１１０】
図１２Ａに示すように、現在のＢＷＰ２におけるＬＢＴタイプが複雑タイプであると仮定すると、図１２ＡのＴ１で示されているように、広帯域幅のＢＷＰ２から狭帯域幅のＢＷＰ１に切り替えるときに、ＢＷＰ２は完全にＢＷＰ１が含まれるので、チャンネルアクセス速度を加速するようにＢＷＰ１でシンプルタイプ（図１２ＡでＴ２として表される）ＬＢＴを実行することができる。或いは、ＢＷＰ２には完全にＢＷＰ１が含まれていないが両者のオーバーラップの程度が高い場合に、同様にＢＷＰ２においてシンプルなＬＢＴタイプを配置することもできる。これは、以前のチャンネル占用装置のチャンネルに対する予約性の利用によることである。即ち、他の装置がチャンネルが使用されていることを検出するか、又は、検出を一定時間継続するために待ち時間を延長した後、無許可周波数帯域における他の周波数帯域のチャンネルを優先的に検出しようとするため、現在検出されるチャンネルのアクセス優先度が低下する。そのため、この装置の次の伝送又は対応する装置の伝送は、伝送のためにこのチャンネルのサブセット又はほとんどを使用続ける可能性が高い場合がある。
【０１１１】
逆に、切り替え後のＢＷＰ周波数領域は切り替え前のＢＷＰをカバーし、かつ、両者のオーバーラップの程度が低い場合に、チャンネルの不確定性の増大は保証できない。この時点で、チャンネルの公平な占用を確保するために複雑タイプのＬＢＴが依然として必要である。図１２Ｂに示すように、現在のＢＷＰ１におけるＬＢＴタイプが複雑タイプであると仮定すると、図１２ＢのＴ１で示されるように、狭帯域幅のＢＷＰ１から広帯域幅のＢＷＰ２に切り替えるときに、ＢＷＰ２は完全にＢＷＰ１を含み、両者のオーバーラップの程度が低いため、チャンネルの公平な占用を確保するには、ＢＷＰ２に切り替える前に複雑タイプ（Ｔ１）のＬＢＴを実行する必要が依然としてある。
【０１１２】
なお、図１乃至図１２Ｂを参照しながら以上説明した基地局側の装置はチップレベルで実現されてもよく、又は、他の外部構成要素を含むことによって装置レベルで実現されてもよいことに留意されたい。例えば、装置は基地局自体として動作してもよく、通信操作を実行するための通信ユニット(任意選択で、破線枠で図示される)を含んでもよい。例えば、通信ユニットは、ユーザー装置との間の通信、他の基地局との間の通信を実行するなどために使用されることができる。また、当該装置は、コンポーネントキャリア配置テーブルと上記ＢＷＰ配置テーブルなどが記憶されるメモリをさらに含んでもよい。
【０１１３】
上述した基地局側の配置例に対応して、本開示の実施例による無線通信システムにおけるユーザー装置側の配置例について以下に説明する。
【０１１４】
＜２．本開示によるユーザー装置側の配置例＞
図１３は、本開示の実施例による無線通信システムにおけるユーザー装置側の装置の機能配置例を示すブロック図である。
【０１１５】
図１３に示すように、この例による装置１３００は、チャンネル検出モード確定ユニット１３０２及びチャンネル検出ユニット１３０４を含むことができる。以下、各ユニットの機能配置例について詳細に説明する。
【０１１６】
チャンネル検出モード確定ユニット１３０２は、基地局からのチャンネル検出モードを含む配置情報に従って、無許可周波数帯域に対するチャンネル検出モードを確定するように配置されることができる。当該チャンネル検出モードは、少なくとも無線通信サービスタイプ及び／又はセル負荷状況に基づいて基地局によって確定され、その配置情報は例えば基地局からの高位レイヤシグナリングに含まれることができる。
【０１１７】
チャンネル検出ユニット１３０４は、確定されたチャンネル検出モードに基づいて無許可周波数帯域でチャンネル検出を実行するように配置されることができる。
【０１１８】
好ましくは、基地局側からの配置情報は、ＬＢＴタイプに関する配置情報をさらに含み、当該配置情報は、高位レイヤシグナリング又はＤＣＩによってユーザー装置に送信されることができ、それによって、チャンネル検出ユニット１３０４はさらに、基地局からのＬＢＴタイプに関する配置情報に従って、無許可周波数帯域でチャンネル検出を実行するように配置されることができる。
【０１１９】
また、好ましくは、確定されたチャンネル検出モードがＢＷＰに基づくチャンネル検出又はハイブリッドチャンネル検出である場合に、チャンネル検出ユニット１３０４はさらに、配置されたアップリンク帯域幅ブロックで対応するＬＢＴタイプのチャンネル検出を実行するように配置されることができる。帯域幅ブロックでのＬＢＴタイプの具体的な配置方法は、以上の基地局側の実施例における対応する位置の記述を参照することができ、ここで再度詳述しない。
【０１２０】
上記の基地局側の配置例に対応して、以下、ダウンリンク通信シナリオ及びアップリンク通信シナリオのそれぞれに対して、チャンネル検出モードにはＢＷＰに基づくチャンネル検出が含まれる場合のユーザー装置側の装置の配置例についても詳細に説明する。
【０１２１】
［２-１．ダウンリンク通信シナリオでの例］
図１４は、本開示の実施例による無線通信システムにおけるユーザー装置側の装置の別の機能配置例を示すブロック図である。
【０１２２】
図１４に示すように、この例による装置１３１０はチャンネル検出モード確定ユニット１３１２、制御ユニット１３１４及びチャンネル検出ユニット１３１６を含むことができる。以下、各ユニットの機能配置例について詳細に説明する。
【０１２３】
チャンネル検出モード確定ユニット１３１２の機能配置例は上記のチャンネル検出モード確定ユニット１３０２と基本的に同じであり、ここで説明を繰り返さない。
【０１２４】
制御ユニット１３１４は、全帯域幅で検出を実行して基地局からのダウンリンク制御情報を受信するようにユーザー装置を制御するように配置されることができる。
【０１２５】
チャンネル検出モード確定ユニット１３１２は、現在のチャンネル検出モードがＢＷＰに基づくチャンネル検出であると確定した場合に、依然としてコンポーネントキャリア帯域幅の全体でチャンネル検出を実行すれば、間違いなくユーザー機器の消費電力が増加する。そのため、好ましくは、ユーザー装置側の電力消費を削減するために、基地局は、１つ以上のダウンリンク初期帯域幅ブロックを含む初期帯域幅配置情報をユーザー装置に送信することができ、それによって、ユーザー装置側の制御ユニット１３１４はさらに、当該初期帯域幅配置情報に従って、１つ以上のダウンリンク初期帯域幅ブロックで基地局からのダウンリンク制御情報を受信するようにユーザー装置を制御することができる。
【０１２６】
基地局からのダウンリンク制御情報は、ユーザー装置にダウンリンクデータを受信するための周波数領域位置を指示するために、１つ以上のダウンリンク初期帯域幅ブロックからダウンリンク伝送のために基地局によって選択された初期帯域幅ブロックの配置情報を含む。そのため、好ましくは、制御ユニット１３１４はさらに、受信されたダウンリンク制御情報に従って、ダウンリンク伝送のために基地局によって選択されたダウンリンク初期帯域幅ブロックを確定して、当該ダウンリンク初期帯域幅ブロックで基地局からのダウンリンクデータを受信するようにユーザー装置を制御するように配置されることができる。
【０１２７】
具体的に、ユーザー装置は受信されたダウンリンク制御情報を復号化することによって、配置されたＢＷＰを指示する番号を取得することができ、次に、ユーザー装置側に記憶されたＢＷＰ配置テーブルにおいて検索することによって、当該ＢＷＰに対応する中心周波数ポイント、帯域幅及び配置パラメータなどの情報を確定して、対応する周波数領域位置でダウンリンクデータを受信することができる。
【０１２８】
ダウンリンク通信シナリオの例では、ユーザー装置は、ダウンリンク受信フィードバックを実行して、ダウンリンクデータが正常に受信されたかどうかを基地局に通知する必要がある。
【０１２９】
例示的な実現形態として、チャンネル検出ユニット１３１６は、アップリンクデフォルト帯域幅ブロックでチャンネル検出を実行するように配置されてもよく、また、制御ユニット１３１４は、チャンネル検出結果がアイドルである場合に、当該アップリンクデフォルト帯域幅ブロックによって基地局にＡＣＫ／ＮＡＣＫフィードバックを送信するように、ユーザー装置を制御するように配置されてもよい。また、好ましくは、当該アイドルアップリンクデフォルトＢＷＰは、ユーザー装置にアップリンクサービス伝送があるときにアップリンクスケジューリング要求（ＳＲ）を基地局に送信するのに使用されてもよい。
【０１３０】
その代わりに、別の例示的な実現形態として、基地局は、１つ以上のダウンリンク初期帯域幅ブロックを含む初期帯域幅ブロック配置情報をユーザー装置に送信するときに、同時に、これらの１つ以上のダウンリンク初期帯域幅ブロックとペアリングする１つ以上のアップリンク帯域幅ブロックも含み得る。このように、受信された初期帯域幅ブロック配置情報とダウンリンク制御情報に従って、チャンネル検出ユニット１３１６は、１つ以上のアップリンク帯域幅ブロックのうちダウンリンク伝送のために基地局によって選択されるダウンリンク初期帯域幅ブロックとペアリングするアップリンク帯域幅ブロックでチャンネル検出を実行するように配置されてもよく、また、制御ユニット１３１４は、チャンネル検出結果がアイドルである場合に、当該アップリンク帯域幅ブロックによってＡＣＫ／ＮＡＣＫフィードバックを基地局に送信するようにユーザー装置を制御するように配置されてもよい。此外、好ましくは、当該アイドルアップリンクＢＷＰは、アップリンクサービス伝送があるときにアップリンクスケジューリング要求（ＳＲ）を基地局に送信するために、ユーザー装置にも使用され得る。
【０１３１】
ここで図１４を参照して説明したダウンリンク通信シナリオでのユーザー装置側の配置例は上記のダウンリンク通信シナリオでの基地局側の配置例に対応するので、ここで詳細に説明されていない内容は以上の対応する位置の説明を参照することができ、ここで再度説明しないことは理解されるべきである。
【０１３２】
［２-２．アップリンク通信シナリオでの例］
図１５は、本開示の実施例による無線通信システムにおけるユーザー装置側の装置のさらに別の機能配置例を示すブロック図である。
【０１３３】
アップリンク通信シナリオで、ユーザー装置に伝送されるアップリンクサービスがあるときに、まず、アップリンクスケジューリング要求を基地局に送信して、アップリンク伝送に使用されるリソースを割り当てるように基地局に要求する必要があることに留意されたい。上記のダウンリンク通信シナリオの例で説明したように、当該アップリンクスケジューリング要求は、アイドルとして検出されたアップリンクデフォルトＢＷＰ又は、前回のダウンリンク伝送に使用されるダウンリンクＢＷＰとペアリングするアップリンクＢＷＰによって送信され、この例では説明を繰り返さない。アップリンク通信シナリオに関する以下の説明は、アップリンクスケジューリング要求が基地局に送信された仮定に基づいて行われる。
【０１３４】
図１５に示すように、当該例による装置１３２０は、チャンネル検出モード確定ユニット１３２２、制御ユニット１３２４及びチャンネル検出ユニット１３２６を含むことができる。以下、各ユニットの機能配置例について詳細に説明する。
【０１３５】
チャンネル検出モード確定ユニット１３２２の機能配置例は上記のチャンネル検出モード確定ユニット１３０２と基本的に同じであり、ここで説明を繰り返さない。
【０１３６】
制御ユニット１３２４は、アップリンクスケジューリング要求に応答して基地局によって送信される１つ以上のアップリンク初期帯域幅ブロックを含む初期帯域幅ブロック配置情報に従って、基地局からの１つ以上のアップリンクスケジューリング情報を受信するようにユーザー装置を制御するように配置されてもよい。基地局は、アップリンクスケジューリング要求を受信した後、高位レイヤシグナリング（例えば、ＲＲＣシグナリング、ＭＡＣ  ＣＥなど）によって、１つ以上のアップリンク初期帯域幅ブロックをユーザー装置に割り当てるとともに、アイドルとして検出された対応するダウンリンクＢＷＰで各アップリンク初期ＢＷＰに関するアップリンクスケジューリング情報（ＵＬ  ｇｒａｎｔ）を送信する。好ましくは、基地局からの初期帯域幅ブロック配置情報は、１つ以上のアップリンク初期帯域幅ブロックとペアリングする１つ以上のダウンリンク帯域幅ブロックをさらに含み、これによって、制御ユニット１３２４はさらに、全帯域幅の代わりに、１つ以上のダウンリンク帯域幅ブロックで基地局からの１つ以上のアップリンクスケジューリング情報を受信するようにユーザー装置を制御するように配置されてもよい。
【０１３７】
受信された１つ以上のアップリンクスケジューリング情報を復号化し、ユーザー装置側に記憶されたＢＷＰ配置テーブルとマッチングすることによって、各アップリンク初期ＢＷＰに対応する中心周波数ポイント位置、帯域幅、パラメータ配置、時間周波数リソース割当などが含まれる対応するアップリンク初期ＢＷＰの配置情報を確定することができる。そして、チャンネル検出ユニット１３２６は、復号化された情報に従って、同時又は時分割で、各アップリンクスケジューリング情報に対応するアップリンク初期帯域幅ブロックでチャンネル検出を実行することができる。言い換えれば、基地局は高位レイヤシグナリングによって、ユーザー装置に１つ以上のアップリンク初期帯域幅ブロックを配置したが、ユーザー装置は、関連するアップリンクスケジューリング情報を受信したアップリンク初期帯域幅ブロックのみでチャンネル検出を実行する。
【０１３８】
制御ユニット１３２４は、チャンネル検出結果とそれに対応するアップリンクスケジューリングメッセージに従って、チャンネル検出結果がアイドルでありかつ高優先度及び／又はＬＢＴタイプがシンプルタイプであるアップリンク初期帯域幅ブロックで基地局へのアップリンク伝送を実行するようにユーザー装置を制御するように配置されることができる。
【０１３９】
図５に戻り、ユーザー装置がアップリンク初期帯域幅ブロックＢＷＰ１、ＢＷＰ２及びＢＷＰ５のアップリンクスケジューリング情報を受信したと仮定すると、この場合、ユーザー装置側のチャンネル検出ユニット１３２６は、同時にこれらの３つのＢＷＰでチャンネル検出実行することを選択することができ、又は、時分割で、オーバーラップがなく高優先度を有するＢＷＰ１及びＢＷＰ５を優先的に検出してもよく、これら２つの高優先度のＢＷＰのいずれも使用できない場合に、低優先度を有するＢＷＰ２をさらに検出する。検出結果が、使用可能なＢＷＰアイドルが１つだけであることを示す場合、当該アイドルであるＢＷＰに直接アクセスしてアップリンク伝送を実行する。逆に、検出結果が複数のＢＷＰのいずれもアイドルであり使用可能であることを示す場合、基地局によって通知される各ＢＷＰの優先度情報及び／又はＬＢＴタイプに従って、高優先度及び／又はＬＢＴタイプがシンプルであるＢＷＰを優先的に選択することができる。
【０１４０】
ここで図１４を参照して説明したアップリンク通信シナリオでのユーザー装置側の配置例は上記のアップリンク通信シナリオでの基地局側の配置例に対応するので、ここで詳細に説明されていない内容は以上の対応する位置の説明を参照することができ、ここで再度説明しないことに留意されたい。
【０１４１】
［２-３．ＢＷＰ切り替えシナリオでの例］
図１６は、本開示の実施例による無線通信システムにおけるユーザー装置側の装置のさらに別の機能配置例を示すブロック図である。
【０１４２】
図１６に示すように、当該例による装置１３３０は、チャンネル検出モード確定ユニット１３３２、制御ユニット１３３４及びチャンネル検出ユニット１３３６を含むことができる。以下、各ユニットの機能配置例について詳細に説明する。
【０１４３】
チャンネル検出モード確定ユニット１３３２の機能配置例は上記のチャンネル検出モード確定ユニット１３０２と基本的に同じであり、ここで説明を繰り返さない。
【０１４４】
上述したように、帯域幅ブロックの切り替えを行う際に余分なスケジューリングシグナリングを追加することを回避するために、ユーザー装置側でユーザー装置側のＢＷＰ切り替えをトリガーするためのＬＢＴタイマを維持してもよい。具体的に、ダウンリンク通信又はアップリンク通信では、ユーザー装置側のチャンネル検出ユニット１３３６による現在配置されたアップリンクフィードバック又はアップリンクデータ伝送に使用されるアップリンク帯域幅ブロックでのチャンネル検出結果が常にビジーであるため通信のためにチャンネルにアクセスすることができない場合に、ユーザー装置側のＬＢＴタイマはタイムアウトして、他のアップリンク帯域幅ブロックへの切り替えをトリガーしてチャンネル検出及びアクセスを行う。
【０１４５】
一例として、ユーザー装置側のＬＢＴタイマが切れた場合に、ユーザー装置側の制御ユニット１３３４は、アップリンクデフォルト帯域幅ブロックでチャンネル検出を行うようにチャンネル検出ユニット１３３６を制御し、チャンネル検出結果がアイドルである場合に、ユーザー装置をアップリンクデフォルト帯域幅ブロックに切り替えるように制御する。このようにして、ユーザー装置は、基地局との少なくとも基本的な通信を維持するために、基地局による余分なスケジューリングの追加を必要とせず、アップリンクデフォルト帯域幅ブロックに切り替えることができる。
【０１４６】
一方、ＬＢＴタイマを期限切れにする、元々スケジューリングされるアップリンク帯域幅ブロックが大量のアップリンクデータ伝送に使用される場合に、例えば装置の製造業者によって予め配置されたアップリンクデフォルト帯域幅ブロックではニーズを満たさない可能性がある。この課題を解決するために、ユーザー装置にアップリンクサービス伝送があるときに、基地局は、対応するアップリンクスケジューリング情報をユーザー装置に送信した後、１つのアップリンクデータ受信タイマを同時に起動することができ、当該タイマは、基本的にユーザー装置側で維持されるＬＢＴタイマと同期される。そのため、ユーザー装置側のＬＢＴタイマが切れた場合に、基地局側のアップリンクデータ受信タイマは同時に切れたことになり、基地局がユーザー装置に１つ以上のアップリンク候補帯域幅ブロックを割り当てることをトリガーする。
【０１４７】
そのため、好ましくは、別の例として、制御ユニット１３３４はさらに、アップリンクデータ受信タイマがきれた場合に基地局によって送信される１つ以上のアップリンク候補帯域幅ブロックを含む配置情報に従って、基地局からの１つ以上のアップリンクスケジューリング情報を受信するようにユーザー装置を制御するように配置されることができる。
【０１４８】
基地局からの１つ以上のアップリンクスケジューリング情報を復号化することによって、検出されるアップリンク候補帯域幅ブロックを確定した後、チャンネル検出ユニット１３３６はさらに、同時又は時分割でこれらのアップリンク候補帯域幅ブロックでチャンネル検出を行うように配置されてもよく、また、制御ユニット１３３４はさらに、チャンネル検出結果とそれに対応するアップリンクスケジューリング情報に従って、チャンネル検出結果がアイドルでありかつ高優先度及び／又はＬＢＴタイプがシンプルタイプであるアップリンク候補帯域幅ブロックに切り替え、当該アップリンク候補帯域幅ブロックによってそのアップリンクデータを伝送し続けるようにユーザー装置を制御するように配置されてもよい。
【０１４９】
なお、ここで説明した、ＢＷＰの切り替えが必要な場合に、基地局が、ユーザー装置が適切なアップリンク候補帯域幅ブロックを選択してチャンネルアクセスを行うために、ユーザー装置に１つ以上のアップリンク候補帯域幅ブロックを配置するプロセスは、アップリンク通信シナリオでの例で説明した１つ以上のアップリンク初期帯域幅ブロックを配置するプロセスと同様であり、ここでは詳細を繰り返さないことに留意されたい。
【０１５０】
また、ここで図１６を参照して説明されるＢＷＰ切り替えシナリオでのユーザー装置側の配置例は、上記のＢＷＰ切り替えシナリオでの基地局側の配置例に対応するので、この実施例では詳細に説明されていない内容は以上の対応する位置の説明を参照することができ、ここで再度説明しないことにも留意されたい。
【０１５１】
なお、図１３乃至図１６を参照しながら以上説明したユーザー装置側の装置はチップレベルで実現されてもよく、又は、他の外部構成要素を含むことによって装置レベルで実現されてもよいことに留意されたい。例えば、装置はユーザー装置自体として動作してもよく、外部装置との通信を実行するための通信ユニット(任意選択で、破線枠で図示される)を含んでもよい。例えば、通信ユニットは、基地局との間の通信を実行するなどために使用されることができる。また、当該装置は、コンポーネントキャリア配置テーブルと上記ＢＷＰ配置テーブルなどが記憶されるメモリをさらに含んでもよい。
【０１５２】
なお、以上説明した基地局側とユーザー装置側の装置内の各機能ユニットは、それらが実現する具体的な機能に従って分割される論理モジューのみであり、具体的な実現方式を限定することを意図しないことに留意されたい。実際の実現では、上記の各機能ユニット及びモジュールは別々の物理的エンティティとして実現されることができるか、又は、単一のエンティティ(例えば、プロセッサ(ＣＰＵ又はＤＳＰなど)、集積回路など)によって実現することができる。
【０１５３】
また、本開示の装置実施例について図面に示すブロック図を参照して以上説明したが、これは単なる例であり、限定ではないことにも留意されたい。当業者は、本開示の原理に従って、図示された機能構成例を修正することができ、例えば、それらの各機能モジュールに対して追加、削除、修正、組み合わせなどを行うことができ、そのような変形の全ては本開示の範囲内に入ると考えられるべきである。
【０１５４】
さらに、各通信シナリオにおける装置構成例は、説明を明確にするために上記で個別に説明されているが、これは、各実施例が相互に排他的であることを意味しないことにも留意されたい。実際の実現では、本開示の原理に従って各実施例を組み合わせることができ、そのような組み合わせはもちろん本開示の範囲内に入ると考えられるべきである。
【０１５５】
［３．本開示による方法実施例］
上記の装置の実施例に対応して、本開示は、以下の方法の実施例をさらに提供する。
【０１５６】
図１７は、本開示の実施例による無線通信システムにおける基地局側の方法のプロセス例を示すフローチャートである。
【０１５７】
図１７に示すように、この実施例による方法は、ステップＳ１７０１で開始する。ステップＳ１７０１では、少なくとも無線通信サービスタイプ及び／又はセル負荷状況に基づいて、無許可周波数帯域に対するチャンネル検出モードを確定する。当該チャンネル検出モードには、広帯域幅のコンポーネントキャリアでチャンネル検出を実行するモード、狭帯域幅の帯域幅ブロックでチャンネル検出を実行するモード、又は、前記２つの検出モードを組み合わせたハイブリッドチャンネル検出モードが含まれる。
【０１５８】
次に、当該方法はステップＳ１７０２に進む。ステップＳ１７０２では、確定されたチャンネル検出モードを含む配置情報を生成し、当該配置情報は、ユーザー装置にチャンネル検出モードを指示するためにユーザー装置に送信される。
【０１５９】
少なくとも無線通信サービスタイプ及び／又はセル負荷状況に基づいて、適切なチャンネル検出モードを確定することによって、帯域幅の利用率を効果的に改善しながら、基地局とユーザー装置とのチャンネル検出処理負荷を低減することができる。
【０１６０】
ここで説明した方法の実施例は、上記の基地局側の装置実施例に対応するので、ここで詳細に説明されていない内容は、上記の対応する位置の説明を参照することができ、ここで再度説明しないことに留意されたい。
【０１６１】
図１８は、本開示の実施例による無線通信システムにおけるユーザー装置側の方法のプロセス例を示すフローチャートである。
【０１６２】
図１８に示すように、当該実施例による方法は、ステップＳ１８０１で開始する。ステップＳ１８０１では、基地局からのチャンネル検出モードを含む配置情報に従って、無許可周波数帯域に対するチャンネル検出モードを確定する。当該チャンネル検出モードは、少なくとも無線通信サービスタイプ及び／又はセル負荷状況に基づいて基地局によって確定される。
【０１６３】
次に、当該方法はステップＳ１８０２に進む。ステップＳ１８０２では、確定されたチャンネル検出モードに基づいて無許可周波数帯域でチャンネル検出を実行する。
【０１６４】
ここで説明した方法の実施例は、上記のユーザー装置側の装置実施例に対応するので、ここで詳細に説明されていない内容は、上記の対応する位置の説明を参照することができ、ここで再度説明しないことに留意されたい。
【０１６５】
なお、本開示の実施例による無線通信システムにおける方法のプロセス例について、以上説明したが、これはあくまでも一例であり、限定ではないことに留意されたい。当業者であれば、本開示の原理に従って上記の実施例を修正することができ、例えば、様々な実施例におけるステップは、追加、削除、組み合わせなどされてもよく、そのような修正は全て本開示の範囲内に入る。
【０１６６】
上記の本開示の実施例によれば、ＮＲシステムにおける無許可周波数帯域でチャンネル検出を実行するときに、まず実際のサービスタイプ及び／又はセル負荷状況などに基づいて合理のチャンネル検出モードを配置することによって、帯域幅の割当効率を向上させながら、チャンネル検出の複雑さと処理負荷を低減することができる。無許可周波数帯域での作業特性を組み合わせて、上記の実施例は、チャンネルアクセス確率を高めるために、基地局及びユーザー装置に複数のダウンリンク／アップリンク初期帯域幅ブロックを割り当てることであり、また、前方互換性及びスケジューリングの柔軟性などを維持するために、帯域幅ブロックを配置・スケジューリングする方法について検討する。なお、ＢＷＰ切り替えの配置及びＢＷＰでのＬＢＴタイプの配置についても検討し、目的は、できるだけ余分なシグナリングオーバーヘッドを追加することなく、元の無線通信サービスを維持し、及び、従来のＬＢＴプロセスを簡素化してチャンネルアクセス速度を向上させることができることである。
【０１６７】
上記の利点の代わりに、又は上記の利点と併せて、本開示の技術的内容を読んだ後、他の利点及び効果も当業者に明らかになり、ここでは一つ一つ述べないことに留意されたい。
【０１６８】
本開示の実施例による記憶媒体及びプログラム製品内の機械実行可能命令は、上記の装置実施例に対応する方法を実行するように配置されてもよいので、ここで詳細に説明されていない内容は、上記の対応する位置の説明を参照することができ、ここで再度説明しないことは理解されるべきである。
【０１６９】
それに対応し、上記した機械実行可能命令が含まれるプログラム製品を担うための記憶媒体も本発明の開示に含まれる。当該記憶媒体は、フロッピーディスク（登録商標）、光ディスク、光磁気ディスク、メモリカード、メモリスティックなどを含むが、これらに限定されない。
【０１７０】
［４．本開示の装置及び方法の実施例を実施するための計算装置］
また、上記した一連の処理及び装置は、ソフトウェア及び／又はファームウェアによって実現することができることも注意されたい。ソフトウェア及び／又はファームウェアによって実現する場合に、記憶媒体又はネットワークから専用のハードウェア構成を有するコンピュータ、例えば、図１９に示す汎用コンピュータ１９００にインストールしてもよく、当該コンピュータは、各種のプログラムがインストールされる場合に、各種の機能などを実行することができる。図１９は、本開示の実施例において採用可能な情報処理装置であるパーソナルコンピュータの構成例を示すブロック図である。
【０１７１】
図１９において、中央処理ユニット（即ち、ＣＰＵ）１９０１は、読み取り専用メモリ（ＲＯＭ）１９０２に記憶されたプログラム又は記憶部分１９０８からランダムアクセスメモリ（ＲＡＭ）１９０３にロードされたプログラムに従って各種の処理を実行する。ＲＡＭ１９０３において、必要に応じても、ＣＰＵが各種の処理などを実行する時に必要なデータが記憶される。
【０１７２】
ＣＰＵ１９０１、ＲＯＭ１９０２、及びＲＡＭ１９０３はバス１９０４を介して互いに接続される。入力／出力インターフェース１９０５もバス１９０４に接続される。
【０１７３】
キーボード、マウスなどを含む入力部分１９０６、例えば陰極線管（ＣＲＴ）、液晶ディスプレイ（ＬＣＤ）などのディスプレイ、スピーカなどを含む出力部分１９０７、ハードウェアなどを含む記憶部分１９０８、例えばＬＡＮカードやモデムなどのネットワークインターフェースカードを含む通信部分１９０９が入力／出力インターフェース１９０５に接続される。通信部分１９０９は、例えばインターネットなどのネットワークを介して通信処理を実行する。
【０１７４】
必要に応じて、ドライバー１９１０も入力／出力インターフェース１９０５に接続される。例えば磁気ディスク、光ディスク、光磁気ディスク、半導体メモリなどのリムーバブルメディア１９１１は、その中から読み出したコンピュータプログラムが必要に応じて記憶部１９０８にインストールされるように、必要に応じてドライバー１９１０に装着される。
【０１７５】
ソフトウェアによって上記の一連の処理を実現する場合に、インターネットなどのネットワークやリムーバブルメディア１９１１などの記憶媒体から、ソフトウェアを構成するプログラムをインストールする。
【０１７６】
当業者が理解すべきことは、このような記憶媒体が図１９に示すような、その中にプログラムが記憶され、装置とは別途配布してユーザーにプログラムを提供するリムーバブルメディア１９１１に限定されない。リムーバブルメディア１９１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ１９０２、記憶部分１９０８に含まれたハードウェアなどの、その中にプログラムが記憶され、これらが含まれる装置と一緒にユーザーに配布するものであってもよい。
【０１７７】
［５．本開示の技術の適用例］
本開示の技術は様々な製品に適用することができる。例えば、本開示で言及された基地局は、ｇＮｏｄｅＢ（ｇＮＢ）、例えばマクロｅＮＢや小ｅＮＢなどの任意のタイプの進化ノードＢ（ｅＮＢ）、伝送受信ポイント（ＴＲＰ）として実現されることができる。小ｅＮＢは、例えばピコｅＮＢ、マイクロｅＮＢ、及び家庭(フェムト)ｅＮＢなどのマクロセルより小さいセルをカバーできるｅＮＢであってもよい。その代わりに、基地局は、例えばＮｏｄｅＢと基地局トランシーバ(Ｂａｓｅ  Ｔｒａｎｓｃｅｉｖｅｒ  Ｓｔａｔｉｏｎ、ＢＴＳ)のような任意の他のタイプの基地局として実現されることができる。基地局は、無線通信を制御するように配置される主体(基地局装置とも呼ばれる)と、主体と異なるところに設けられる１つ又は複数のリモート無線ヘッド(Ｒｅｍｏｔｅ  Ｒａｄｉｏ  Ｈｅａｄ、ＲＲＨ)とを含むことができる。また、後述する様々なタイプの端末はいずれも、基地局機能を一時的又は半永久的に実行することによって、基地局として動作することができる。
【０１７８】
例えば、本開示で言及されたＵＥは、携帯端末(例えばスマートフォン、タブレットパーソナルコンピュータ(ＰＣ)、ノートＰＣ、携帯ゲーム端末、ポータブル／ドングルモバイルルーター、及びデジタル撮影装置など)又は車載端末(カーナビゲーション装置など)として実現されることができる。ＵＥは、マシンツーマシン(Ｍ２Ｍ)通信を実行する端末(マシン型通信(ＭＴＣ)端末とも呼ばれる)として実現されることができる。また、ＵＥは、上記端末のそれぞれに搭載された無線通信モジュール(例えば単一チップが含まれる集積回路モジュール)であってもよい。
【０１７９】
以下、本開示による適用例について図２０乃至図２３を参照して説明する。
【０１８０】
（５-１．基地局についての適用例）
（第１の適用例）
図２０は、本開示の技術を適用できるｅＮＢの概略構成の第１の例を示すブロック図である。ｅＮＢ１４００は１つ又は複数のアンテナ１４１０及び基地局装置１４２０を含む。基地局装置１４２０と各アンテナ１４１０はＲＦケーブルを介して接続されてもよい。
【０１８１】
アンテナ１４１０のそれぞれは単一又は複数のアンテナ素子(例えば多入力多出力(ＭＩＭＯ)アンテナに含まれる複数のアンテナ素子)を含み、基地局装置１４２０の無線信号の送受信に使用される。図２０に示すように、ｅＮＢ１４００は複数のアンテナ１４１０を含んでもよい。例えば、複数のアンテナ１４１０はｅＮＢ１４００に使用される複数の周波数領域と互換性があり得る。図２０に、ｅＮＢ１４００には複数のアンテナ１４１０が含まれる例を示したが、ｅＮＢ１４００は単一のアンテナ１４１０を含んでもよい。
【０１８２】
基地局装置１４２０は、コントローラ１４２１、メモリ１４２２、ネットワークインターフェース１４２３及び無線通信インターフェース１４２５を含む。
【０１８３】
コントローラ１４２１は、例えばＣＰＵやＤＳＰであり、且つ、基地局装置１４２０の上位層の各種機能を動作させる。例えば、コントローラ１４２１は、無線通信インターフェース１４２５によって処理された信号におけるデータに基づいてデータパケットを生成し、ネットワークインターフェース１４２３を介して、生成されたパケットを伝達する。コントローラ１４２１は、複数のベース周波数帯域プロセッサからのデータをバンドルして、バンドルパケットを生成し、生成されたバンドルパケットを伝達することができる。コントローラ１４２１は以下のような制御を実行する論理機能を有してもよく、当該制御は例えば、無線リソース制御、無線ベアラ制御、移動管理、受付制御、スケジューリングなどである。当該制御は、近くのｅＮＢ又はコアネットワークノードと結合して実行されることができる。メモリ１４２２はＲＡＭとＲＯＭを含み、コントローラ１４２１によって実行されるプログラム及び様々なタイプの制御データ(例えば、端末リスト、送信パワーデータ及びスケジューリングデータ)が記憶される。
【０１８４】
ネットワークインターフェース１４２３は、基地局装置１４２０をコアネットワーク１４２４の通信インターフェースに接続するためのものである。コントローラ１４２１は、ネットワークインターフェース１４２３を介してコアネットワークノード又は別のｅＮＢと通信することができる。この場合、ｅＮＢ１４００とコアネットワークノード又は他のｅＮＢとは、論理インターフェース(例えばＳ１インターフェースとＸ２インターフェース)によって互いに接続される。ネットワークインターフェース１４２３は、有線通信インターフェース又は無線バックホール回線用の無線通信インターフェースであってもよい。ネットワークインターフェース１４２３が無線通信インターフェースであれば、無線通信インターフェース１４２５によって使用される周波数帯域と比べると、ネットワークインターフェース１４２３はより高い周波数帯域を無線通信に使用することができる。
【０１８５】
無線通信インターフェース１４２５は任意のセルラー通信方式(例えば、長期的な進化(ＬＴＥ)とＬＴＥー先進)をサポートし、アンテナ１４１０を介してｅＮＢ１４００のセルに位置する端末への無線接続を提供する。無線通信インターフェース１４２５は通常、例えばベース周波数帯域(ＢＢ)プロセッサ１４２６とＲＦ回路１４２７を含むことができる。ＢＢプロセッサ１４２６は例えば、シンボル化／復号化、変調／復調、多重化／多重化解除を実行すると共に、レイヤ(例えばＬ１、メディアアクセス制御(ＭＡＣ)、無線リンク制御(ＲＬＣ)、パケットデータアグリゲーションプロトコル(ＰＤＣＰ))の様々なタイプの信号処理を実行することができる。コントローラ１４２１の代わりに、ＢＢプロセッサ１４２６は、上記した論理機能の一部又は全部を有してもよい。ＢＢプロセッサ１４２６は、通信制御プログラムが記憶されるメモリであってもよく、或いは、プログラムを実行するように配置されるプロセッサ及び関連する回路を含むモジュールであってもよい。プログラムの更新は、ＢＢプロセッサ１４２６の機能を変更させることができる。当該モジュールは、基地局装置１４２０のスロットに挿入されるカード又はブレッドであってもよい。その代わりに、当該モジュールは、カード又はブレッドに搭載されるチップであってもよい。同時に、ＲＦ回路１４２７は、例えばミキサ、フィルタ、増幅器を含んで、アンテナ１４１０を介して無線信号を送受信してもよい。
【０１８６】
図２０に示すように、無線通信インターフェース１４２５は複数のＢＢプロセッサ１４２６を含んでもよい。例えば、複数のＢＢプロセッサ１４２６は、ｅＮＢ１４００に使用される複数の周波数帯域と互換性があり得る。図２０に示すように、無線通信インターフェース１４２５は複数のＲＦ回路１４２７を含んでもよい。例えば、複数のＲＦ回路１４２７は複数のアンテナ素子と互換性があり得る。図２０には、無線通信インターフェース１４２５に複数のＢＢプロセッサ１４２６と複数のＲＦ回路１４２７を含む例を示したが、無線通信インターフェース１４２５は単一のＢＢプロセッサ１４２６又は単一のＲＦ回路１４２７を含んでもよい。
【０１８７】
（第２の適用例）
図２１は本開示の技術を適用できるｅＮＢの概略構成の第２の例を示すブロック図である。ｅＮＢ１５３０は１つ又は複数のアンテナ１５４０と、基地局装置１５５０と、ＲＲＨ１５６０とを含む。ＲＲＨ１５６０と各アンテナ１５４０はＲＦケーブルを介して互いに接続されることができる。基地局装置１５５０とＲＲＨ１５６０は光ファイバケーブルのような高速回線を介して互いに接続されることができる。
【０１８８】
アンテナ１５４０のそれぞれは単一又は複数のアンテナ素子(例えば、ＭＩＭＯアンテナに含まれた複数のアンテナ素子)を含み、ＲＲＨ１５６０の無線信号の送受信に使用される。図２１に示すように、ｅＮＢ１５３０は複数のアンテナ１５４０を含んでもよい。例えば、複数のアンテナ１５４０はｅＮＢ１５３０によって使用される複数の周波数帯域と互換性があり得る。図２１に、ｅＮＢ１５３０に複数のアンテナ１５４０が含まれる例を示したが、ｅＮＢ１５３０は単一のアンテナ１５４０を含んでもよい。
【０１８９】
基地局装置１５５０は、コントローラ１５５１と、メモリ１５５２と、ネットワークインターフェース１５５３と、無線通信インターフェース１５５５と、接続インターフェース１５５７とを含む。コントローラ１５５１、メモリ１５５２、及びネットワークインターフェース１５５３は図２０を参照して説明したコントローラ１４２１、メモリ１４２２、ネットワークインターフェース１４２３と同様である。
【０１９０】
無線通信インターフェース１５５５は任意のセルラー通信方式(例えばＬＴＥとＬＴＥー先進)をサポートし、ＲＲＨ１５６０とアンテナ１５４０を介してＲＲＨ１５６０に対応するセクタに位置する端末への無線通信を提供する。無線通信インターフェース１５５５は通常、例えばＢＢプロセッサ１５５６を含んでもよい。ＢＢプロセッサ１５５６が接続インターフェース１５５７を介してＲＲＨ１５６０のＲＦ回路１５６４に接続する以外、ＢＢプロセッサ１５５６は図２０を参照して説明したＢＢプロセッサ１４２６と同様である。図２１に示すように、無線通信インターフェース１５５５は複数のＢＢプロセッサ１５５６を含んでもよい。例えば、複数のＢＢプロセッサ１５５６はｅＮＢ１５３０に使用される複数の周波数領域と互換性があり得る。図２１に、無線通信インターフェース１５５５に複数のＢＢプロセッサ１５５６が含まれる例を示したが、無線通信インターフェース１５５５は単一のＢＢプロセッサ１５５６を含んでもよい。
【０１９１】
接続インターフェース１５５７は基地局装置１５５０(無線通信インターフェース１５５５)をＲＲＨ１５６０に接続するためのインターフェースである。接続インターフェース１５５７は基地局装置１５５０(無線通信インターフェース１５５５)をＲＲＨ１５６０の上記した高速回線における通信に接続するための通信モジュールであってもよい。
【０１９２】
ＲＲＨ１５６０は接続インターフェース１５６１と無線通信インターフェース１５６３を含む。
【０１９３】
接続インターフェース１５６１はＲＲＨ１５６０(無線通信インターフェース１５６３)を基地局装置１５５０に接続するためのインターフェースである。接続インターフェース１５６１は上記した高速回線における通信のための通信モジュールであってもよい。
【０１９４】
無線通信インターフェース１５６３はアンテナ１５４０を介して無線信号を送受信する。無線通信インターフェース１５６３は通常、例えばＲＦ回路１５６４を含んでもよい。ＲＦ回路１５６４は例えばミキサ、フィルタ、増幅器を含み、アンテナ１５４０を介して無線信号を送受信してもよい。図２１に示すように、無線通信インターフェース１５６３は複数のＲＦ回路１５６４を含んでもよい。例えば、複数のＲＦ回路１５６４は複数のアンテナ素子をサポートすることができる。図２１に、無線通信インターフェース１５６３に複数のＲＦ回路１５６４が含まれる例を示したが、無線通信インターフェース１５６３は単一のＲＦ回路１５６４を含んでもよい。
【０１９５】
図２０及び図２１に示すｅＮＢ１４００及びｅＮＢ１５３０では、上記基地局側の装置内の通信ユニットは、無線通信インターフェース１４２５並びに無線通信インターフェース１５５５及び／又は無線通信インターフェース１５６３によって実現することができる。上記基地局側の装置の機能の少なくとも一部は、はコントローラ１４２１及びコントローラ１５５１によって実現することもできる。
【０１９６】
（５-２．ユーザー装置についての適用例）
（第１の適用例）
図２２は本開示の技術を適用できるスマートフォン１６００の概略構成例を示すブロック図である。スマートフォン１６００はプロセッサ１６０１、メモリ１６０２、記憶装置１６０３、外部接続インターフェース１６０４、撮影装置１６０６、センサー１６０７、マイク１６０８、入力装置１６０９、表示装置１６１０、スピーカ１６１１、無線通信インターフェース１６１２、１つ又は複数のアンテナスイッチ１６１５、１つ又は複数のアンテナ１６１６、バス１６１７、バッテリー１６１８及び補助コントローラ１６１９を含む。
【０１９７】
プロセッサ１６０１は例えばＣＰＵ又はシステムオンチップ(ＳｏＣ)であってもよく、スマートフォン１６００のアプリケーション層と他の層の機能を制御することができる。メモリ１６０２はＲＡＭとＲＯＭを含み、データとプロセッサ１６０１によって実行されるプログラムが記憶される。記憶装置１６０３は例えば半導体メモリとハードディスクのような記憶媒体を含むことができる。外部接続インターフェース１６０４は外部装置(例えばメモリカードとユニバーサルシリアルバス(ＵＳＢ)装置)をスマートフォン１６００に接続するためのインターフェースである。
【０１９８】
撮影装置１６０６はイメージセンサー(例えば電荷結合デバイス(ＣＣＤ)と相補型金属酸化物半導体(ＣＭＯＳ))を含み、撮影した画像を生成する。センサー１６０７は例えば測定センサー、ジャイロセンサー、地磁気センサー及び加速度センサーのような１組みのセンサーを含んでもよい。マイク１６０８はスマートフォン１６００に入力された音をオーディオ信号に変換する。入力装置１６０９は例えば表示装置１６１０のスクリーンでのタッチを検出するように配置されるタッチセンサー、キーパッド、キーボード、ボタンやスイッチを含み、ユーザーから入力された動作又は情報を受信する。表示装置１６１０はスクリーン(例えば液晶ディスプレイ(ＬＣＤ)と有機発光ダイオード(ＯＬＥＤ)ディスプレイ)を含み、スマートフォン１６００の出力画像を表示する。スピーカ１６１１はスマートフォン１６００から出力したオーディオ信号を音に変換する。
【０１９９】
無線通信インターフェース１６１２は任意のセルラー通信方式(例えば、ＬＴＥとＬＴＥ−先進)をサポートして、無線通信を実行する。無線通信インターフェース１６１２は通常、例えばＢＢプロセッサ１６１３とＲＦ回路１６１４を含むことができる。ＢＢプロセッサ１６１３は例えば、符号化／復号化、変調／復調、多重化／多重化解除を実行すると共に、無線通信のための様々なタイプの信号処理を実行することができる。同時に、ＲＦ回路１６１４は例えばミキサ、フィルタ、増幅器を含み、アンテナ１６１６を介して無線信号を送受信することができる。無線通信インターフェース１６１２はその上にＢＢプロセッサ１６１３とＲＦ回路１６１４が集積される１つのチップモジュールであってもよい。図２２に示すように、無線通信インターフェース１６１２は複数のＢＢプロセッサ１６１３と複数のＲＦ回路１６１４を含んでもよい。図２２に、無線通信インターフェース１６１２に複数のＢＢプロセッサ１６１３と複数のＲＦ回路１６１４が含まれる例を示したが、無線通信インターフェース１６１２は単一のＢＢプロセッサ１６１３又は単一のＲＦ回路１６１４を含んでもよい。
【０２００】
なお、セルラー通信方式の以外、無線通信インターフェース１６１２は、例えば短距離無線通信方式、近接通信方式や無線ローカルネットワーク(ＬＡＮ)方式などの別のタイプの無線通信方式をサポートすることができる。この場合、無線通信インターフェース１６１２は各無線通信方式に対するＢＢプロセッサ１６１３とＲＦ回路１６１４を含んでもよい。
【０２０１】
アンテナスイッチ１６１５のそれぞれは無線通信インターフェース１６１２に含まれる複数の回路(例えば異なる無線通信方式に使用される回路)間でアンテナ１６１６の接続先を切り替える。
【０２０２】
アンテナ１６１６のそれぞれは単一又は複数のアンテナ素子(例えばＭＩＭＯアンテナに含まれる複数のアンテナ素子)を含み、無線通信インターフェース１６１２の無線信号の送受信に使用される。図２２に示すように、スマートフォン１６００は複数のアンテナ１６１６を含んでもよい。図２２に、スマートフォン１６００に複数のアンテナ１６１６が含まれる例を示したが、スマートフォン１６００は単一のアンテナ１６１６を含んでもよい。
【０２０３】
なお、スマートフォン１６００は各無線通信方式に対するアンテナ１６１６を含んでもよい。この場合に、アンテナスイッチ１６１５はスマートフォン１６００の配置から省略されてもよい。
【０２０４】
バス１６１７はプロセッサ１６０１、メモリ１６０２、記憶装置１６０３、外部接続インターフェース１６０４、撮像装置１６０６、センサー１６０７、マイク１６０８、入力装置１６０９、表示装置１６１０、スピーカ１６１１、無線通信インターフェース１６１２及び補助コントローラ１６１９を互いに接続する。バッテリー１６１８は給電線によって図２２に示すスマートフォン１６００の各ブロックに電力を供給し、給電線は図面において部分的に点線によって表される。補助コントローラ１６１９は例えばスリープモードでスマートフォン１６００の最少の必要な機能を動作させる。
【０２０５】
図２２に示すスマートフォン１６００では、上記ユーザー装置側の装置内の通信ユニットは無線通信インターフェース１６１２によって実現することができる。上記ユーザー装置側の装置内の機能の少なくとも一部は、プロセッサ１６０１又は補助コントローラ１６１９によって実現することもできる。
【０２０６】
（第２の適用例）
図２３は、本開示の技術を適用できるカーナビゲーション装置１７２０の概略構成例を示すブロック図である。カーナビゲーション装置１７２０はプロセッサ１７２１、メモリ１７２２、全球位置決めシステム(ＧＰＳ)モジュール１７２４、センサー１７２５、データインターフェース１７２６、コンテンツプレーヤー１７２７、記憶媒体インターフェース１７２８、入力装置１７２９、表示装置１７３０、スピーカ１７３１、無線通信インターフェース１７３３、１つ又は複数のアンテナスイッチ１７３６、１つ又は複数のアンテナ１７３７及びバッテリー１７３８を含む。
【０２０７】
プロセッサ１７２１は例えばＣＰＵ又はＳｏＣであり、カーナビゲーション装置１７２０のナビゲーション機能と他の機能を制御することができる。メモリ１７２２はＲＡＭとＲＯＭを含み、データとプロセッサ１７２１によって実行されるプログラムが記憶される。
【０２０８】
ＧＰＳモジュール１７２４はＧＰＳ衛星から受信したＧＰＳ信号を使用してカーナビゲーション装置１７２０の位置(例えば、緯度、経度、高度)を測定する。センサー１７２５は、例えばジャイロセンサー、地磁気センサー及び気圧センサーのような１組みのセンサーを含んでもよい。データインターフェース１７２６は図示しない端末を介して例えば車のネットワーク１７４１に接続され、車両が生成したデータ(例えば、車速データ)を取得する。
【０２０９】
コンテンツプレーヤー１７２７は記憶媒介(例えば、ＣＤとＤＶＤ)に記憶されたコンテンツを再生して、当該記憶媒介は記憶媒介インターフェース１７２８に挿入される。入力装置１７２９は例えば表示装置１７３０のスクリーンでのタッチを検出するように配置されるタッチセンサー、ボタン又はスイッチを含み、ユーザーから入力された動作又は情報を受信する。表示装置１７３０は例えばＬＣＤやＯＬＥＤディスプレイのスクリーンを含み、ナビゲーション機能の画像又は再生されたコンテンツを表示する。スピーカ１７３１はナビゲーション機能の音又は再生されたコンテンツを出力する。
【０２１０】
無線通信インターフェース１７３３は任意のセルラー通信方式(例えば、ＬＴＥとＬＴＥ−Ａｄｖａｎｃｅｄ)をサポートし、無線通信を実行することができる。無線通信インターフェース１７３３は通常、例えばＢＢプロセッサ１７３４とＲＦ回路１７３５を含むことができる。ＢＢプロセッサ１７３４は、例えばシンボル化／復号化、変調／復調、及び多重化／多重化解除を実行すると共に、無線通信に使用される様々なタイプの信号処理を実行することができる。同時に、ＲＦ回路１７３５は例えばミキサ、フィルタ、増幅器を含み、アンテナ１７３７を介して無線信号を送受信することができる。無線通信インターフェース１７３３はその上にＢＢプロセッサ１７３４とＲＦ回路１７３５が集積される１つのチップモジュールであってもよい。図２３に示すように、無線通信インターフェース１７３３は複数のＢＢプロセッサ１７３４と複数のＲＦ回路１７３５を含んでもよい。図２３に、無線通信インターフェース１７３３に複数のＢＢプロセッサ１７３４と複数のＲＦ回路１７３５が含まれる例を示したが、無線通信インターフェース１７３３は単一のＢＢプロセッサ１７３４又は単一のＲＦ回路１７３５を含んでもよい。
【０２１１】
なお、セルラー通信方式の以外、無線通信インターフェース１７３３は、例えば短距離無線通信方式、近接通信方式、及び無線ＬＡＮ方式のような別のタイプの無線通信方式をサポートすることができる。この場合、無線通信インターフェース１７３３は各無線通信方式に対するＢＢプロセッサ１７３４とＲＦ回路１７３５を含んでもよい。
【０２１２】
アンテナスイッチ１７３６のそれぞれは無線通信インターフェース１７３３に含まれる複数の回路(例えば、異なる無線通信方式に使用される回路)間でアンテナ１７３７の接続先を切り替える。
【０２１３】
アンテナ１７３７のそれぞれは単一又は複数のアンテナ素子(例えばＭＩＭＯアンテナに含まれる複数のアンテナ素子)を含み、無線通信インターフェース１７３３の無線信号の送受信に使用される。図２３に示すように、カーナビゲーション装置１７２０は複数のアンテナ１７３７を含んでもよい。図２３に、カーナビゲーション装置１７２０に複数のアンテナ１７３７が含まれる例を示したが、カーナビゲーション装置１７２０は単一のアンテナ１７３７を含んでもよい。
【０２１４】
なお、カーナビゲーション装置１７２０は各種の無線通信方式に対するアンテナ１７３７を含んでもよい。この場合、アンテナスイッチ１７３６はカーナビゲーション装置１７２０の配置から省略されてもよい。
【０２１５】
バッテリー１７３８は給電線によって図２３に示すカーナビゲーション装置１７２０の各ブロックに電力を供給し、給電線は図面において部分的に点線によって示される。バッテリー１７３８は車両から供給した電力を蓄積する。
【０２１６】
図２３に示すカーナビゲーション装置１７２０では、上記ユーザー装置側の装置内の通信ユニットは無線通信インターフェース１７３３によって実現することができる。上記ユーザー装置側の装置の機能の少なくとも一部は、プロセッサ１７２１によって実現することもできる。
【０２１７】
本開示の技術はカーナビゲーション装置１７２０、車のネットワーク１７４１及び車両モジュール１７４２のうち１つ又は複数のブロックが含まれる車載システム(又は車両１７４０として実現されてもよい。車両モジュール１７４２は車両データ(例えば車速、エンジン速度、故障情報)を生成し、生成されたデータを車のネットワーク１７４１に出力する。
【０２１８】
以上、本開示の好ましい実施例について図面を参照して説明したが、本開示はもちろん、上記の例示に限定されるものではない。当業者であれば、添付の請求項の範囲で様々な修正及び変更が可能であり、これらの修正及び変更も本開示の技術的範囲内に含まれると理解されるべきである。
【０２１９】
例えば、以上の実施例では、１つのユニットに含まれる複数の機能は、別々の装置によって実現することができる。その代わり、以上の実施例では、複数のユニットによって実現される複数の機能はそれぞれ、別々の装置によって実現することができる。また、以上の機能のうち１つは複数のユニットによって実現することができる。そのような構成は、本開示の技術的範囲に含まれることは言うまでもない。
【０２２０】
本明細書では、フローチャートに記載されるステップには、前記順序が時系列に沿って実行される処理だけでなく、必ずしも時系列ではなく並列的又は独立して実行される処理も含まれる。また、時系列で処理されるステップでも、当該順序を適切に入れ替えてもよいことは言うまでもない。
【０２２１】
本開示及びその利点について既に詳細に説明したが、添付の請求項によって限定される本開示の精神及び範囲から逸脱することがなく、様々な修正、置換及び変更が可能であると理解すべきである。そして、本開示の実施例の用語「包括」、「含む」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。また、より多い制限が存在しない場合、「...を一つ含む」という文によって限定される要素は、前記要素を含むプロセス、方法、物品又はデバイスに他の同じ要素がさらに含まれることを排除しない。
【図１】
2021503830.tif 000003
【図２】
2021503830.tif 000004
【図３】
2021503830.tif 000005
【図４】
2021503830.tif 000006
【図５】
2021503830.tif 000007
【図６】
2021503830.tif 000008
【図７】
2021503830.tif 000009
【図８】
2021503830.tif 000010
【図９】
2021503830.tif 000011
【図１０】
2021503830.tif 000012
【図１１】
2021503830.tif 000013
【図１２Ａ】
2021503830.tif 000014
【図１２Ｂ】
2021503830.tif 000015
【図１３】
2021503830.tif 000016
【図１４】
2021503830.tif 000017
【図１５】
2021503830.tif 000018
【図１６】
2021503830.tif 000019
【図１７】
2021503830.tif 000020
【図１８】
2021503830.tif 000021
【図１９】
2021503830.tif 000022
【図２０】
2021503830.tif 000023
【図２１】
2021503830.tif 000024
【図２２】
2021503830.tif 000025
【図２３】
2021503830.tif 000026
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
処理回路を含む、無線通信システムにおける装置であって、
前記処理回路は、
少なくとも無線通信サービスタイプ及び／又はセル負荷状況に基づいて、無許可周波数帯域に対するチャンネル検出モードを確定し、
前記チャンネル検出モードを含む配置情報を生成し、前記配置情報が、ユーザー装置に前記チャンネル検出モードを指示するために前記ユーザー装置に送信される、
ように配置される装置。
【請求項２】
前記チャンネル検出モードは、コンポーネントキャリアに基づくチャンネル検出と帯域幅ブロックに基づくチャンネル検出を含み、帯域幅ブロックは、コンポーネントキャリア内で分割され、前記コンポーネントキャリアの帯域幅よりも小さい帯域幅を有するブロックである、請求項１に記載の装置。
【請求項３】
前記処理回路はさらに、前記無線通信サービスタイプが大きな帯域幅及び／又は小さなセル負荷を必要とする場合に、前記チャンネル検出モードがコンポーネントキャリアに基づくチャンネル検出であると確定し、前記無線通信サービスタイプが小さな帯域幅及び／又は大きなセル負荷を必要とする場合に、前記チャンネル検出モードが帯域幅ブロックに基づくチャンネル検出であると確定するように配置され、或いは、前記チャンネル検出モードはさらに、コンポーネントキャリアに基づくチャンネル検出と帯域幅ブロックに基づくチャンネル検出との両方を組み合わせたハイブリッドチャンネル検出を含む、請求項２に記載の装置。
【請求項４】
前記処理回路はさらに、
前記チャンネル検出モードが帯域幅ブロックに基づくチャンネル検出である場合に、１つ以上のダウンリンク初期帯域幅ブロックでチャンネル検出を実行し、
チャンネル検出結果に基づいて、前記１つ以上のダウンリンク初期帯域幅ブロックから、チャンネル検出結果がアイドルであり、かつ、高優先度及び／又はＬＢＴタイプがシンプルタイプであるダウンリンク初期帯域幅ブロックを、ダウンリンク伝送に使用される帯域幅ブロックとして選択し、
選択されたダウンリンク初期帯域幅ブロックを含む配置情報を生成して、前記ユーザー装置に送信する、
ように配置される請求項２に記載の装置。
【請求項５】
前記処理回路はさらに、
前記ユーザー装置に送信するために、前記１つ以上のダウンリンク初期帯域幅ブロックを含む初期帯域幅ブロック配置情報を生成する、
ように配置される請求項４に記載の装置。
【請求項６】
前記初期帯域幅ブロック配置情報はさらに、前記１つ以上のダウンリンク初期帯域幅ブロックとペアリングする１つ以上のアップリンク帯域幅ブロックを含む、請求項５に記載の装置。
【請求項７】
前記処理回路はさらに、
前記チャンネル検出モードが帯域幅ブロックに基づくチャンネル検出である場合に、前記ユーザー装置からのアップリンクスケジューリング要求に応答して、１つ以上のアップリンク初期帯域幅ブロックを含む初期帯域幅ブロック配置情報を生成して、前記ユーザー装置に送信し、
前記１つ以上のアップリンク初期帯域幅ブロックに対応する１つ以上のアップリンクスケジューリング情報を生成し、
前記１つ以上のアップリンク初期帯域幅ブロックとペアリングする１つ以上のダウンリンク帯域幅ブロックでチャンネル検出をそれぞれ実行して、チャンネル検出結果がアイドルである１つ以上のダウンリンク帯域幅ブロックによって、生成された１つ以上のアップリンクスケジューリング情報を前記ユーザー装置に送信する、
ように配置される請求項２に記載の装置。
【請求項８】
前記初期帯域幅ブロック配置情報はさらに、前記１つ以上のアップリンク初期帯域幅ブロックとペアリングする１つ以上のダウンリンク帯域幅ブロックを含む、請求項７に記載の装置。
【請求項９】
前記処理回路はさらに、
ダウンリンクデフォルト帯域幅ブロック、又は前記１つ以上のダウンリンク帯域幅ブロックのうちアップリンク伝送のために前記ユーザー装置によって使用されるアップリンク初期帯域幅ブロックとペアリングするダウンリンク帯域幅ブロックでチャンネル検出を実行し、チャンネル検出結果がアイドルである場合に、ダウンリンクデフォルト帯域幅ブロック、又はアップリンク伝送のために前記ユーザー装置によって使用されるアップリンク初期帯域幅ブロックとペアリングするダウンリンク帯域幅ブロックでアップリンク受信フィードバックを実行する、
ように配置される請求項８に記載の装置。
【請求項１０】
前記処理回路はさらに、
基地局側のＬＢＴタイマが切れた場合に、ダウンリンクデフォルト帯域幅ブロックでチャンネル検出を実行し、チャンネル検出結果がアイドルである場合に現在のダウンリンク帯域幅ブロックからダウンリンクデフォルト帯域幅ブロックに切り替えるか、又は、１つ以上のダウンリンク候補帯域幅ブロックでチャンネル検出を実行し、現在のダウンリンク帯域幅ブロックから前記１つ以上のダウンリンク候補帯域幅ブロックのうちチャンネル検出結果がアイドルでありかつ高優先度及び／又はＬＢＴタイプがシンプルタイプであるダウンリンク候補帯域幅ブロックに切り替え、基地局側のアップリンクデータ受信タイマが切れた場合に、１つ以上のアップリンク候補帯域幅ブロックを含む配置情報を生成して、前記ユーザー装置に送信し、
前記１つ以上のアップリンク候補帯域幅ブロックに対応する１つ以上のアップリンクスケジューリング情報を生成し、
前記１つ以上のアップリンク候補帯域幅ブロックに対応する１つ以上のダウンリンク帯域幅ブロックでチャンネル検出をそれぞれ実行して、チャンネル検出結果がアイドルである１つ以上のダウンリンク帯域幅ブロックによって、生成された１つ以上のアップリンクスケジューリング情報を前記ユーザー装置に送信し、或いは、
基地局又は前記ユーザー装置が異なる帯域幅ブロックの間を切り替えるときに、切り替え前後の帯域幅ブロックの周波数領域範囲の間の関係に基づいて、前記基地局又は前記ユーザー装置によって切り替えられた帯域幅ブロックにおけるＬＢＴタイプを確定する、
ように配置される請求項２に記載の装置。
【請求項１１】
処理回路を含む、無線通信システムにおける装置であって、
前記処理回路は、
基地局からの、チャンネル検出モードを含む配置情報に従って、無許可周波数帯域に対するチャンネル検出モードを確定し、
確定されたチャンネル検出モードに基づいて、前記無許可周波数帯域でチャンネル検出を実行する、
ように配置され、
前記チャンネル検出モードは、少なくとも無線通信サービスタイプ及び／又はセル負荷状況に基づいて前記基地局によって確定される装置。
【請求項１２】
前記チャンネル検出モードは、コンポーネントキャリアに基づくチャンネル検出と、帯域幅ブロックに基づくチャンネル検出を含み、帯域幅ブロックは、コンポーネントキャリア内で分割され、前記コンポーネントキャリアの帯域幅よりも小さい帯域幅を有するブロックである請求項１１に記載の装置。
【請求項１３】
前記処理回路はさらに、
前記基地局からの、１つ以上のダウンリンク初期帯域幅ブロックを含む初期帯域幅ブロック配置情報に従って、前記１つ以上のダウンリンク初期帯域幅ブロックで前記基地局からのダウンリンク制御情報を受信するようにユーザー装置を制御する、
ように配置される請求項１２に記載の装置。
【請求項１４】
前記処理回路はさらに、
受信されたダウンリンク制御情報に従って、ダウンリンク伝送のために前記基地局によって選択されるダウンリンク初期帯域幅ブロックを確定し、当該ダウンリンク初期帯域幅ブロックで前記基地局からのダウンリンクデータを受信するように前記ユーザー装置を制御する、
ように配置される請求項１３に記載の装置。
【請求項１５】
前記処理回路はさらに、
アップリンクデフォルト帯域幅ブロックでチャンネル検出を実行して、チャンネル検出結果がアイドルである場合に、アップリンクデフォルト帯域幅ブロックによって、ダウンリンク受信フィードバック及び／又は前記基地局へのアップリンクスケジューリング要求を実行する、
ように配置される請求項１４に記載の装置。
【請求項１６】
前記初期帯域幅ブロック配置情報はさらに、前記１つ以上のダウンリンク初期帯域幅ブロックとペアリングする１つ以上のアップリンク帯域幅ブロックを含み、
前記処理回路はさらに、
前記１つ以上のアップリンク帯域幅ブロックのうちダウンリンク伝送のために前記基地局によって選択されるダウンリンク初期帯域幅ブロックとペアリングするアップリンク帯域幅ブロックでチャンネル検出を実行して、チャンネル検出結果がアイドルである場合に、当該アップリンク帯域幅ブロックによって、ダウンリンク受信フィードバック及び／又は前記基地局へのアップリンクスケジューリング要求を実行する、
ように配置される請求項１４に記載の装置。
【請求項１７】
前記処理回路はさらに、
アップリンクスケジューリング要求に応答して前記基地局によって送信される、１つ以上のアップリンク初期帯域幅ブロックを含む初期帯域幅ブロック配置情報に従って、前記基地局からの１つ以上のアップリンクスケジューリング情報を受信するようにユーザー装置を制御し、
受信された１つ以上のアップリンクスケジューリング情報に従って、同時又は時分割で、各アップリンクスケジューリング情報に対応するアップリンク初期帯域幅ブロックでチャンネル検出を実行し、
チャンネル検出結果とそれに対応するアップリンクスケジューリングメッセージに従って、チャンネル検出結果がアイドルでありかつ高優先度及び／又はＬＢＴタイプがシンプルタイプであるアップリンク初期帯域幅ブロックで前記基地局にアップリンク伝送を実行するように前記ユーザー装置を制御する、
ように配置される請求項１２に記載の装置。
【請求項１８】
前記初期帯域幅ブロック配置情報はさらに、前記１つ以上のアップリンク初期帯域幅ブロックとペアリングする１つ以上のダウンリンク帯域幅ブロックを含み、前記処理回路はさらに、前記１つ以上のダウンリンク帯域幅ブロックで前記基地局からの１つ以上のアップリンクスケジューリング情報を受信するように前記ユーザー装置を制御する、
ように配置される請求項１７に記載の装置。
【請求項１９】
前記処理回路はさらに、
ユーザー装置側のＬＢＴタイマが切れた場合に、アップリンクデフォルト帯域幅ブロックでチャンネル検出を実行して、チャンネル検出結果がアイドルである場合に、現在のアップリンク帯域幅ブロックからアップリンクデフォルト帯域幅ブロックに切り替えるようにユーザー装置を制御し、
アップリンクデータ受信タイマが切れた場合に前記基地局によって送信される１つ以上のアップリンク候補帯域幅ブロックを含む配置情報に従って、前記基地局からの１つ以上のアップリンクスケジューリング情報を受信するようにユーザー装置を制御し、
受信された１つ以上のアップリンクスケジューリング情報に従って、同時又は時分割で各アップリンクスケジューリング情報に対応するアップリンク候補帯域幅ブロックでチャンネル検出を実行し、
チャンネル検出結果とそれに対応するアップリンクスケジューリング情報に従って、チャンネル検出結果がアイドルでありかつ高優先度及び／又はＬＢＴタイプがシンプルタイプであるアップリンク候補帯域幅ブロックに切り替えるように前記ユーザー装置を制御し、或いは、
前記基地局からのＬＢＴタイプに関する配置情報に従って、対応するアップリンク帯域幅ブロックでチャンネル検出を実行する、
ように配置される請求項１２に記載の装置。
【請求項２０】
無線通信システムにおける方法であって、
基地局からのチャンネル検出モードを含む配置情報に従って、無許可周波数帯域に対するチャンネル検出モードを確定することと、
確定されたチャンネル検出モードに基づいて、前記無許可周波数帯域でチャンネル検出を実行することと、
を含み、
前記チャンネル検出モードは、少なくとも無線通信サービスタイプ及び／又はセル負荷状況に基づいて前記基地局によって確定される方法。
【国際調査報告】
2021503830.tif 000027
2021503830.tif 000028
2021503830.tif 000029
2021503830.tif 000030